(57)【要約】  移動局および基地局がネットワークコーディングデータを確実に受信するとともに、移動局および基地局において十分な受信性能が得られる無線中継装置を提供する。（１）リピータは、移動局から受信したデータＸを、重要なデータと重要でないデータに分割し、ｅＮＢから受信したデータＹを、重要なデータと重要でないデータに分割する。次に、（２）リピータは、移動局に対する重要なデータＳｘとｅＮＢに対する重要なデータＳｙが重ならないように配置してＸＯＲ（排他的論理和）をとり、ネットワークコーディングデータＸ（Ｘ）Ｙを生成する。そして、（３）リピータは、ネットワークコーディングデータＸ（Ｘ）Ｙにおいて、移動局に対する重要なデータ部分Ｐｘ（Ｘ）Ｓｙには下り伝搬逆特性Ｈ１−１をかけ、一方、ｅＮＢに対する重要なデータ部分Ｓｘ（Ｘ）Ｐｙには上り伝搬逆特性Ｈ０−１をかけて送信する。
2009141974.tif 000002
【特許請求の範囲】
【請求項１】
第１無線通信装置と第２無線通信装置との通信を中継する無線中継装置であって、
前記第１および第２無線通信装置からデータを受信する受信部と、
前記第１無線通信装置から受信した第１データと前記第２無線通信装置から受信した第２データとを用いてネットワークコーディングデータを生成するものであって、各データを重要度の高いブロックと重要度の低いブロックに分割し、各データの重要度の高いブロックと、各データの重要度の低いブロックとから排他的論理和をとることで前記ネットワークコーディングデータを生成するネットワークコーディングデータ生成部と、
前記ネットワークコーディングデータの一の部分と他の部分とで、それぞれ異なるプリコーディングをかけるプリコーディング部と、
前記プリコーディングしたネットワークコーディングデータを送信する送信部と
を有する無線中継装置。
【請求項２】
請求項１記載の無線中継装置であって、
前記重要度の高いブロックは、各データのシステマティックビットを含むシステマティックパートを含み、前記重要度の低いブロックは、各データのパリティビットを含むパリティパートを含む無線中継装置。
【請求項３】
請求項２記載の無線中継装置であって
第１無線通信装置との間の伝搬特性及び当該伝搬特性の逆特性、並びに第２無線通信装置との間の伝搬特性及び当該伝搬特性の逆特性に基づき、重要度の低いブロックに係る第１無線通信装置との間の回線品質及び重要度の低いブロックに係る第２無線通信装置との間の回線品質を推定する推定部と、
前記推定部の推定結果に基づき、前記ネットワークコーディングデータに、当該ネットワークコーディングデータを送信するための送信リソースを割り当てるリソース割り当て部と、を備える無線中継装置。
【請求項４】
請求項２記載の無線中継装置であって、
前記ネットワークコーディングデータの一の部分には、前記第１データのシステマティックパートが含まれ、前記ネットワークコーディングデータの他の部分には、前記第２データのシステマティックパートが含まれており、
前記プリコーディング部において、
第２無線通信装置との間の伝搬特性の逆特性を、前記ネットワークコーディングデータの一の部分にかけ、
第１無線通信装置との間の伝搬特性の逆特性を、前記ネットワークコーディングデータの他の部分にかける無線中継装置。
【請求項５】
請求項２に記載の無線中継装置であって、
前記ネットワークコーディングデータの送信先である、少なくとも前記第１および第２無線通信装置のいずれか一方における信号対干渉雑音電力比が最大となるように、前記ネットワークコーディングデータのプリコーディング位置を設定する無線中継装置。
【請求項６】
請求項４記載の無線中継装置であって、
前記ネットワークコーディングデータの一の部分と前記ネットワークコーディングデータの他の部分との比率を、前記ネットワークコーディングデータの送信先である各無線通信装置における信号対干渉雑音電力比が最大となるように設定する無線中継装置。
【請求項７】
通信相手装置との通信を行う際に、前記通信を中継する無線中継装置を介してデータを送受信する無線通信装置であって、
前記通信相手装置から前記無線中継装置を介して受信する第１データと自装置から前記無線中継装置を介して前記通信相手装置へ送信する第２データとを用いて、前記各データのシステマティックビットを含むシステマティックパートと、前記各データのパリティビットを含むパリティパートとから排他的論理和をとり、このデータの一の部分と他の部分とでそれぞれ異なるプリコーディングをかけて生成され、前記無線中継装置から送信されたネットワークコーディングデータを受信する受信部と、
前記システマティックパートと前記パリティパートとを分けるネットワークコーディングデータの分割位置と、前記異なるプリコーディングを行うプリコーディングの分割位置とに基づき、前記無線中継装置を介して前記通信相手装置から受信したネットワークコーディングデータから自装置に必要な第１データを復調する復調部と、
を備える無線通信装置。
【請求項８】
請求項７に記載の無線通信装置であって、
前記ネットワークコーディングデータの一の部分には、前記第１データのシステマティックパートが含まれ、前記ネットワークコーディングデータの他の部分には、前記第２データのシステマティックパートが含まれており、前記プリコーディングとして、前記ネットワークコーディングデータの一の部分には前記無線中継装置と自装置との間の第１の伝搬特性の逆特性がかけられ、前記ネットワークコーディングデータの他の部分には前記無線中継装置と前記通信相手装置との間の第２の伝搬特性の逆特性がかけられている場合、
前記復調部は、前記ネットワークコーディングデータの分割位置と、前記異なるプリコーディングを行うプリコーディングの分割位置と、前記第１伝搬特性及び第２伝搬特性とに基づき、前記受信したネットワークコーディングデータのうちの一の部分は自装置からの第２データを用いて復調し、他の部分は前記第１伝搬特性と前記第２伝搬特性の逆特性とをかけた後、自装置からの第２データを用いて復調する無線通信装置。
【請求項９】
請求項７または８のいずれかに記載の無線通信装置を備える無線通信基地局装置。
【請求項１０】
請求項７または８のいずれかに記載の無線通信装置を備える無線通信移動局装置。
【発明の詳細な説明】
【技術分野】
【０００１】
本発明は、無線中継装置に関し、特に、移動局および基地局がネットワークコーディングデータを確実に受信するとともに、移動局および基地局において十分な受信性能が得られる無線中継装置に関する。
【背景技術】
【０００２】
ネットワークコーディングは、従来、有線網で情報を効率よく伝送する仕組みとして使われてきたが、現在、無線リピータ（以降、単にリピータと呼ぶ）に、この仕組み（ネットワークコーディング）を適用することが盛んに検討されている。【０００３】
図１０は、移動局（ＭＳ）７１、リピータ７２およびｅＮＢ（基地局）７３による無線中継システムを示す。同図を参照してリピータ７２におけるネットワークコーディングの動作例を説明する。【０００４】
手順１：移動局７１は、通信中のリピータ７２に対し、データＸを送信する。
手順２：ｅＮＢ７３は、通信中のリピータ７２に対し、データＹを送信する。
手順３：リピータ７２は、データＸとＹのＸＯＲ（排他的論理和）をとって、移動局７１およびｅＮＢ７３に対し、データ（Ｘ  ＸＯＲ  Ｙ）を送信する（以降、この処理を施されたデータをネットワークコーディングデータと呼ぶ）。【０００５】
手順４：移動局７１は自局が送信したデータＸを知っているので、受信した（Ｘ  ＸＯＲ  Ｙ）データから、データＹを取り出せる。
手順５：ｅＮＢ７３は自局が送信したデータＹを知っているので、受信した（Ｘ  ＸＯＲ  Ｙ）データから、データＸを取り出せる。【０００６】
このようにすることで、従来は、リピータ７２からｅＮＢ７３へデータＸを送信し、リピータ７２から移動局７１へデータＹを送信していた処理を１度で行えるため、周波数及び時間の利用効率を高めることができる。
【先行技術文献】
【特許文献】
【０００７】
【特許文献１】日本国特開２００３−１７４３９２号公報
【特許文献２】日本国特開２００５−２２９５２４号公報
【発明の概要】
【発明が解決しようとする課題】
【０００８】
しかし、このネットワークコーディングの仕組みを無線通信に利用する際に、有線では発生しえなかった課題があった。その１つに、リピータ７２‐移動局７１間、リピータ７２‐ｅＮＢ７３間には大きく異なる伝搬特性が存在し、受信した際のネットワークコーディングデータには、移動局７１およびｅＮＢ７３において、各々独立な伝搬特性がかかって受信してしまう、という点である。【０００９】
そこで、この伝搬特性を予め補償して送るプリコーディング処理を施すことが考えられるが、ネットワークコーディングデータにプリコーディングを施す場合、どちらの伝搬特性に合わせてプリコーディングを施してよいか分らない、という課題があった。なお、プリコーディングとは、送り側で伝搬特性の逆特性をかけて予め補償することにより、受け側にデータを送る技術である。【００１０】
つまり、図１１に示すように、リピータ７２からみて移動局７１への下り伝搬特性がＨ１、ｅＮＢ７３への上り伝搬特性がＨ０であった場合、ネットワークコーディングデータに対し、移動局７１向けにはＨ１−１をかけたいが、一方で、ｅＮＢ７３向けにはＨ０−１をかけたいという相容れない要望があった。【００１１】
そこで、単純な解決方法として、リピータ７２は固定設置でｅＮＢ７３と見通しの環境であることが多く、一般的には、リピータ７２‐ｅＮＢ７３間の伝搬環境は良好であると考えられる一方で、リピータ７２‐移動局７１間は、リピータ７２‐ｅＮＢ７３間に比べ劣悪な伝搬環境であるとみなせるため、リピータ７２は移動局７１に有利なように、ネットワークコーディングデータに下り伝搬環境の逆特性Ｈ１−１をかける、といった方法が考えられる。【００１２】
図１２は、移動局（ＭＳ）７１、リピータ（ＲＮ）７２およびｅＮＢ７３間の動作シーケンス図を示す。同図を例に、リピータを介した移動局（ＭＳ）とｅＮＢ７３間のデータの送受信を説明する。【００１３】
手順１：移動局７１はリピータ７２に対し、下り伝搬特性Ｈ１を通知する。リピータ７２は、ｅＮＢ７３に対し、Ｈ１を通知する。
手順２：ｅＮＢ７３はリピータ７２に対し、上り伝搬特性Ｈ０を通知する。リピータ７２は、移動局７１に対し、Ｈ０を通知する。【００１４】
手順３：移動局７１は、リピータ７２に対し、データＸを送信する。
手順４：ｅＮＢ７３は、リピータ７２に対し、データＹを送信する。
手順５：リピータ７２は、データＸとＹのＸＯＲ（排他的論理和）をとり、さらに、下り伝搬逆特性Ｈ１−１をデータ（Ｘ  ＸＯＲ  Ｙ）全体に対しかけて、移動局７１およびｅＮＢ７３へ送信する。【００１５】
手順６：移動局７１は、下り伝搬特性が予め補償されているので、そのまま、受信した（Ｘ  ＸＯＲ  Ｙ）データから、データＹを取り出せる。
手順７：ｅＮＢ７３は、ネットワークコーディングデータにかかっていると予測される伝搬特性Ｈ０・Ｈ１−１の逆特性を、手順１で通知されたＨ１と、もともと自局で持つＨ０から生成し、受信したネットワークコーディングデータに対し、伝搬特性の補償を行ってから、受信した（Ｘ  ＸＯＲ  Ｙ）データから、データＸを取り出せる。【００１６】
このようにすることで、ｅＮＢ７３で受信されるネットワークコーディングデータ全体にかかる伝搬特性Ｈ０・Ｈ１−１に問題がなければ、移動局７１およびｅＮＢ７３において正しくデータを受信することができる。【００１７】
しかし、図１３に示すように、ｅＮＢ７３で受信されるネットワークコーディングデータ全体にかかる伝搬特性Ｈ０・Ｈ１−１に依存して、ｅＮＢ７３の受信特性が大きく左右してしまい、例えば、Ｈ０・Ｈ１−１の対角要素が“０”となってしまうような最悪の場合、ｅＮＢ７３においてネットワークコーディングデータが受信できない、といった課題があった。【００１８】
本発明の目的は、移動局および基地局がネットワークコーディングデータを確実に受信するとともに、移動局および基地局において十分な受信性能が得られる無線中継装置を提供することである。
【課題を解決するための手段】
【００１９】
本発明の無線中継装置は、第１無線通信装置と第２無線通信装置との通信を中継する無線中継装置であって、前記第１および第２無線通信装置からデータを受信する受信部と、前記第１無線通信装置から受信した第１データと前記第２無線通信装置から受信した第２データとを用いてネットワークコーディングデータを生成するものであって、各データを重要度の高いブロックと重要度の低いブロックに分割し、各データの重要度の高いブロックと、各データの重要度の低いブロックとから排他的論理和をとることで前記ネットワークコーディングデータを生成するネットワークコーディングデータ生成部と、前記ネットワークコーディングデータの一の部分と他の部分とで、それぞれ異なるプリコーディングをかけるプリコーディング部と、前記プリコーディングしたネットワークコーディングデータを送信する送信部とを有する無線中継装置。【００２０】
上記構成によれば、第１無線通信装置および第２無線通信装置において、各々、重要度の高いデータのブロックと、重要度の低いデータのブロックが理想的に受信できるので、確実にデータが受信できつつ、従来よりシステム全体の受信性能が向上する。【００２１】
また、上記構成において、前記重要度の高いブロックは、各データのシステマティックビットを含むシステマティックパートを含み、前記重要度の低いブロックは、各データのパリティビットを含むパリティパートを含む。【００２２】
このような構成によれば、第１無線通信装置および第２無線通信装置において、各々、重要なシステマティックビットを含むシステマティックパートが理想的に受信できるので、確実にデータが受信できつつ、従来よりシステム全体の受信性能が向上する。【００２３】
また、本発明の無線中継装置において、第１無線通信装置との間の伝搬特性及び当該伝搬特性の逆特性、並びに第２無線通信装置との間の伝搬特性及び当該伝搬特性の逆特性に基づき、前記重要度の低いブロックに係る第１無線通信装置との間の回線品質及び重要度の低いブロックに係る第２無線通信装置との間の回線品質を推定する推定部と、前記推定部の推定結果に基づき、前記ネットワークコーディングデータに、当該ネットワークコーディングデータを送信するための送信リソースを割り当てるリソース割り当て部と、を備える。このような構成によれば、第１無線通信装置および第２無線通信装置において、各々、重要なシステマティックビットを含むシステマティックパートが理想的に受信できるので、確実にデータが受信できつつ、従来よりシステム全体の受信性能が向上する。さらに、パリティパートの回線品質を考慮したスケジューリングを行っているので、第１無線通信装置及び第２無線通信装置において、パリティビットを含むパリティパートの受信性能も向上する。【００２４】
また、本発明の無線中継装置において、前記ネットワークコーディングデータの一の部分には、前記第１データのシステマティックパートが含まれ、前記ネットワークコーディングデータの他の部分には、前記第２データのシステマティックパートが含まれており、前記プリコーディング部において、第２無線通信装置との間の伝搬特性の逆特性を、前記ネットワークコーディングデータの一の部分にかけ、第１無線通信装置との間の伝搬特性の逆特性を、前記ネットワークコーディングデータの他の部分にかける。【００２５】
上記構成によれば、第２無線通信装置との間の伝搬特性の逆特性をネットワークコーディングデータの一の部分にかけ、第１無線通信装置との間の伝搬特性の逆特性をネットワークコーディングデータの他の部分にかけるので、第１無線通信装置および第２無線通信装置で伝搬特性を補償することなく重要なシステマティックビットを含むシステマティックパートが取り出せる。
【発明の効果】
【００２６】
以上説明したように、本発明に係る無線中継装置によれば、移動局に送信する重要なデータに予め下り伝搬特性が補償されているので、移動局で伝搬特性を補償することなくデータが取り出せ、ｅＮＢに送信する重要なデータに予め上り伝搬特性が補償されているので、ｅＮＢで伝搬特性を補償することなくデータが取り出せるので、移動局およびｅＮＢにおいてネットワークコーディングデータを確実に受信できる上、さらに十分な受信性能が得られるようになる。
【図面の簡単な説明】
【００２７】
【図１】本発明の無線中継装置におけるネットワークコーディングを説明するための図
【図２】本発明の無線中継装置における実施の形態１を説明するためのシーケンス図
【図３】本発明の無線中継装置における実施の形態１のバリエーションを説明するためのシーケンス図
【図４】本発明の無線中継装置における実施の形態１のリピータのブロック図
【図５】本発明の無線中継装置における実施の形態１の移動局のブロック図
【図６】本発明の無線中継装置における実施の形態１のｅＮＢのブロック図
【図７】（ａ）本発明の無線中継装置における実施の形態２の概念図、（ｂ）本発明の無線中継装置における実施の形態２のシーケンス図
【図８】（ａ）Ｈ１・Ｈ０−１の値及びＨ０・Ｈ１−１の値の計算結果から推定される回線品質の一例示す図、（ｂ）図８（ａ）に示す計算結果に基づく送信リソースの割り当ての一例を示す図
【図９】本発明の無線中継装置における実施の形態２のリピータのブロック図
【図１０】従来の移動局（ＭＳ）７１、リピータ７２およびｅＮＢ７３による無線中継システムを示す図
【図１１】無線中継システムにネットワークコーディングを適用する際の課題を説明するための図
【図１２】無線中継システムにネットワークコーディングを適用する際の動作シーケンス図
【図１３】無線中継システムにネットワークコーディングを適用する際の課題を説明するためのイメージ図
【発明を実施するための形態】
【００２８】
本発明では、第１無線通信装置と第２無線通信装置との通信を中継する無線中継装置の一例として、（１）前記第１無線通信装置と前記第２無線通信装置から受信するデータをその重要度に着目することによって、各データの重要度の高いブロックと各データの重要度の低いブロックとに分割し、（２）各データの重要度の高いブロックが重ならないように配置して、前記分割した各データの重要度の高いブロックと各データの重要度の低いブロックとからネットワークコーディングデータを生成し、（３）前記ネットワークコーディングデータの一の部分と他の部分とに分割することで、それぞれ異なるプリコーディングをかけて、前記プリコーディングしたネットワークコーディングデータを送信する。（３）の分割位置は、（１）の分割位置と同じでもよいし、あるいは異なっていてもよい。なお、以下の実施例は説明のための一例であって、本発明はこれに限定されるものではない。
【００２９】
重要度の選定基準として、（１）送信データがそれ自身のみで復調可能（ｓｅｌｆ  ｄｅｃｏｄａｂｌｅ）かそうでないか（Ｎｏｎ  ｓｅｌｆ  ｄｅｃｏｄａｂｌｅ）、その一例として送信データをシステマティックパートとパリティパートに分ける、（２）冗長データを含む送信データと冗長データを含まない送信データに分ける（３）送信データが制御データであるか否かを示すフラグか、それとも情報かによって分ける等、が考えられる。また、同じデータ内の重要度に応じてｃｏｄｉｎｇを変える場合には、重要度の選定基準として、（４）送信データの符号化率か高いか、もしくは低いかが考えられる。さらに、同じデータ内に緊急情報（例えば、ハンドオーバーに係る情報）と通常情報が混在する場合には、重要度の選定基準として、（５）緊急情報であるか、それとも通常情報であるかが考えられる。なお、このような重要度の性質は、上り伝搬路と下り伝搬路とで異なっていてもよい。
【００３０】
図１は、本発明のイメージ図を示す。図１（ａ）に示すように、（１）リピータＲＮは、移動局ＭＳから受信（ＭＳ→ＲＮ）したデータＸを、データの重要度の着目してａ（重要），ｂに分割し、基地局ｅＮＢ（以下、ｅＮＢと略す）から受信（ｅＮＢ→ＲＮ）したデータＹをデータの重要度の着目してｃ，ｄ（重要）に分割する。次に、（２）リピータＲＮは、移動局ＭＳに対する重要なデータｄ（重要）とｅＮＢに対する重要なデータａ（重要）が重ならないように配置してＸＯＲ（排他的論理和）をとる。以下、このように形成されたデータを、（１）移動局ＭＳに対する重要なデータｄを含むデータ部分ｂ（Ｘ）ｄ、（２）ｅＮＢに対する重要なデータａを含むデータ部分ａ（Ｘ）ｃと記載する。
【００３１】
そして図１（ｂ）に示すように、（３）リピータＲＮは、移動局ＭＳに対する重要なデータ部分ｂ（Ｘ）ｄには、下り伝搬逆特性Ｈ１−１をかけ、一方、ｅＮＢに対する重要なデータ部分ａ（Ｘ）ｃには、上り伝搬逆特性Ｈ０−１をかけて送信する。
【００３２】
本発明によれば、移動局ＭＳに送信する重要なデータｂ（Ｘ）ｄに予め下り伝搬特性が補償されているので、移動局ＭＳで伝搬特性を補償することなくデータが取り出せ、ｅＮＢに送信する重要なデータａ（Ｘ）ｃに予め上り伝搬特性が補償されているので、ｅＮＢで伝搬特性を補償することなくデータが取り出せるので、移動局ＭＳおよびｅＮＢにおいてネットワークコーディングデータを確実に受信できる上、さらに十分な受信性能が得られるようになる。
【００３３】
（実施の形態１）
図２（ａ）は、本発明の無線中継装置における実施の形態１の概念図を示す。（１）リピータＲＮは、移動局ＭＳから受信（ＭＳ→ＲＮ）したデータＸを、重要なデータ（Ｓｘ：例えばシステマティックパート）と重要でないデータ（Ｐｘ：例えばパリティパート）に分割し、ｅＮＢから受信（ｅＮＢ→ＲＮ）したデータＹを、重要なデータ（Ｓｙ：例えばシステマティックパート）と重要でないデータ（Ｐｙ：例えばパリティパート）に分割する。
【００３４】
次に、（２）リピータＲＮは、移動局ＭＳに対する重要なデータＳｘとｅＮＢに対する重要なデータＳｙが重ならないように配置してＸＯＲ（排他的論理和）をとり、ネットワークコーディングデータＸ（Ｘ）Ｙを生成する。
【００３５】
そして、（３）リピータＲＮは、ネットワークコーディングデータＸ（Ｘ）Ｙにおいて、移動局ＭＳに対する重要なデータ部分Ｐｘ（Ｘ）Ｓｙには下り伝搬逆特性Ｈ１−１をかけ、一方、ｅＮＢに対する重要なデータ部分Ｓｘ（Ｘ）Ｐｙには上り伝搬逆特性Ｈ０−１をかけて送信する。
【００３６】
これによれば、移動局ＭＳは、下り伝搬特性を補償することなく重要なデータ部分Ｐｘ（Ｘ）Ｓｙデータを取り出すことができ、ｅＮＢは、上り伝搬特性を補償することなく重要なデータ部分Ｓｘ（Ｘ）Ｐｙを取り出すことができるので、移動局ＭＳおよびｅＮＢにおいてネットワークコーディングデータを確実に受信できる上、さらに十分な受信性能が得られるようになる。
【００３７】
図２（ｂ）は、本発明の無線中継装置における実施の形態１のシーケンス図を示す。同図を参照して実施の形態１の無線中継装置の動作を説明する。
【００３８】
手順１：移動局７１はリピータ（ＲＮ）７２に対し、下り伝搬特性Ｈ１を通知する。リピータ７２は、ｅＮＢ７３に対し、Ｈ１を通知する。
手順２：ｅＮＢ７３はリピータ７２に対し、上り伝搬特性Ｈ０を通知する。リピータ７２は、移動局７１に対し、Ｈ０を通知する。
手順３：移動局７１は、リピータ７２に対し、データＸを送信する。
手順４：ｅＮＢ７３は、リピータ７２に対し、データＹを送信する。
【００３９】
手順５：リピータ７２は、データＸを、重要なシステマティックビットを含むシステマティックパートＳｘとパリティビットを含むパリティパートＰｘに分割する。
手順６：リピータ７２は、データＹを、重要なシステマティックビットを含むシステマティックパートＳｙとパリティビットを含むパリティパートＰｙに分割する。
【００４０】
手順７：リピータ７２は、データＳｘとＰｙのＸＯＲ（排他的論理和）をとり、上り伝搬逆特性Ｈ０−１をかける。
手順８：リピータ７２は、データＰｘとＳｙのＸＯＲ（排他的論理和）をとり、下り伝搬逆特性Ｈ１−１をかける。
手順９：リピータ７２は、手順７と８で得られたデータをネットワークコーディングデータとして、移動局７１およびｅＮＢ７３へ送信する。
【００４１】
手順１０：移動局７１は、重要なシステマティックパートＳｙ対し、下り伝搬特性が予め補償されているので、そのまま、受信した（Ｐｘ  ＸＯＲ  Ｓｙ）データから、データＳｙを取り出せる。一方、パリティパートＰｙに対しても、かかっていると予測される伝搬特性Ｈ１・Ｈ０−１の逆特性を、手順２で通知されたＨ０と、もともと自局で持つＨ１から生成し、受信したネットワークコーディングデータ（Ｓｘ  ＸＯＲ  Ｐｙ）に対し、伝搬特性の補償を行ってから、データＰｙを取り出せる。
【００４２】
手順１１：ｅＮＢ７３は、重要なシステマティックパートＳｘ対し、上り伝搬特性が予め補償されているので、そのまま、受信した（Ｓｘ  ＸＯＲ  Ｐｙ）データから、データＳｘを取り出せる。一方、パリティパートＰｘ  に対しても、かかっていると予測される伝搬特性Ｈ０・Ｈ１−１の逆特性を、手順１で通知されたＨ１と、もともと自局で持つＨ０から生成し、受信したネットワークコーディングデータ（Ｐｘ  ＸＯＲ  Ｓｙ）に対し、伝搬特性の補償を行ってから、データＰｘを取り出せる。
【００４３】
このように実施の形態１によれば、移動局７１およびｅＮＢ７３において、各々、重要なシステマティックビットを含むシステマティックパートが理想的に受信できるので、確実にデータが受信できつつ、従来よりシステム全体の受信性能が向上する。
【００４４】
図３は、実施の形態１のバリエーションとして、移動局（ＭＳ）７１及びｅＮＢ７３における信号対干渉雑音電力比（Ｓｉｇｎａｌ−ｔｏ−Ｉｎｔｅｒｆｅｒｅｎｃｅ−ｐｌｕｓ−Ｎｏｉｓｅ−ｐｏｗｅｒ−Ｒａｔｉｏ、以下ＳＩＮＲと略す）が最大になるようにプリコーディング（Ｈ０−１、Ｈ１−１）比率を適応的に変える例を説明するための図である。
【００４５】
すなわち、リピータでは、図３（ａ）に示すように、ネットワークコーディングデータＳ１（Ｘ）Ｓ２において、ｅＮＢに対して重要なデータを含むシステマティックパートＳｓ１（Ｘ）Ｐｓ２の一部に上り伝搬逆特性Ｈ０−１をかけ、移動局に対して重要なデータを含むシステマティックパートＰｓ１（Ｘ）Ｓｓ２の全部、およびパリティパートＳｓ１（Ｘ）Ｐｓ２の一部に下り伝搬逆特性Ｈ１−１をかける。
【００４６】
これにより、図３（ｂ）に示すように、移動局（ＭＳ）７１は、重要なシステマティックパートＰｓ１（Ｘ）Ｓｓ２の全部、およびパリティパートＳｓ１（Ｘ）Ｐｓ２の一部について、伝搬特性を補償することなくそのまま受信したデータから取り出すことができ、移動局（ＭＳ）７１におけるＳＩＮＲを最大にすることができる。
【００４７】
また、伝搬特性の通知に関して、（１）伝搬特性通知の時だけ、リピータが受信した信号をそのまま増幅して送信する非再生中継にする、（２）上りおよび下り伝搬特性をネットワークコーディング（Ｈ１  ＸＯＲ  Ｈ０）して一括通知する等により通知時間の短縮を図ってもよい。
【００４８】
次に、本実施の形態１にかかるリピータ７２、移動局７１およびｅＮＢ７３のブロック図の説明をする。図４は、本実施の形態１のリピータ７２のブロック図を示す。
【００４９】
《移動局７１およびｅＮＢ７３からの伝搬特性受信動作》
リピータ７２は、受信ＲＦ部１２で、「移動局７１からの下り伝搬特性Ｈ１」を受信する。受信した信号は受信ＲＦ部１２でベースバンド帯域までダウンコンバートされて、Ａ／Ｄ変換部１３に信号が入力される。Ａ／Ｄ変換部１３に入力された信号はデジタル信号となって、バッファ１４に蓄積され、復調及びチャネルデコード処理された結果を受信データメモリ１７の“下り伝搬特性格納メモリ１７１”に保持する。
【００５０】
同様に、リピータ７２は、受信ＲＦ部１２で、「ｅＮＢ７３からの上り伝搬特性Ｈ０」を受信する。受信した信号は受信ＲＦ部１２でベースバンド帯域までダウンコンバートされて、Ａ／Ｄ変換部１３に信号が入力される。Ａ／Ｄ変換部１３に入力された信号はデジタル信号となって、バッファ１４に蓄積され、復調及びチャネルデコード処理された結果を受信データメモリ１７の“上り伝搬特性格納メモリ１７２”に保持する。
【００５１】
《移動局７１およびｅＮＢ７３への伝搬特性送信動作》
リピータ７２は、下り伝搬特性Ｈ１を、受信データメモリ１７の“下り伝搬特性格納メモリ１７１”から読み出し、チャネルエンコード部２７にてチャネルエンコードし、チャネルエンコードされたデータは変調部２４にて変調され、送信データメモリ２２の“下り伝搬特性格納メモリ２２１”に保持される。
【００５２】
続いて送信データメモリ２２の“下り伝搬特性格納メモリ２２１”から、下り伝搬特性Ｈ１を読み出し、バッファ２１に蓄積した後、Ｄ／Ａ変換部２０にてＤ／Ａ変換し、送信ＲＦ部１９でＲＦ帯域の信号までアップコンバートし、送信アンテナ１１から送信する。
【００５３】
同様に、リピータ７２は、上り伝搬特性Ｈ０を、受信データメモリ１７の“上り伝搬特性格納メモリ１７２”から読み出し、チャネルエンコード部２７にてチャネルエンコードし、チャネルエンコードされたデータは変調部２４にて変調され、送信データメモリ２２の“上り伝搬特性格納メモリ２２２”に保持される。
【００５４】
続いて送信データメモリ２２の“上り伝搬特性格納メモリ２２２”から、上り伝搬特性Ｈ０を読み出し、バッファ２１に蓄積した後、Ｄ／Ａ変換部２０にてＤ／Ａ変換し、送信ＲＦ部１９でＲＦ帯域の信号までアップコンバートし、送信アンテナ１１から送信する。
【００５５】
《移動局７１およびｅＮＢ７３からのデータ受信動作》
リピータ７２は、受信ＲＦ部１２で、「移動局７１からの送信データＸ」を受信する。受信した信号は受信ＲＦ部１２でベースバンド帯域までダウンコンバートされて、Ａ／Ｄ変換部１３に信号が入力される。Ａ／Ｄ変換部１３に入力された信号はデジタル信号となって、バッファ１４に蓄積され、復調及びチャネルデコード処理された結果を受信データメモリ１７の“移動局送信データ格納メモリ１７３”に保持する。
【００５６】
同様に、リピータ７２は、受信ＲＦ部１２で、「ｅＮＢ７３からの送信データＹ」を受信する。受信した信号は受信ＲＦ部１２でベースバンド帯域までダウンコンバートされて、Ａ／Ｄ変換部１３に信号が入力される。Ａ／Ｄ変換部１３に入力された信号はデジタル信号となって、バッファ１４に蓄積され、復調及びチャネルデコード処理された結果を受信データメモリ１７の“ｅＮＢ送信データ格納メモリ１７４”に保持する。
【００５７】
《ネットワークコーディングデータ生成動作》
リピータ７２は、受信データメモリ１７の“移動局送信データ格納メモリ１７３”から移動局７１が送信したデータＸを読み出し、チャネルエンコード部２７に入力する。チャネルエンコード部２７にてデータＸをチャネルエンコードし、チャネルエンコードデータをデータ分割部２６にて、システマティックビットを含む“システマティックパートＳｘ”とパリティビットを含む“パリティパートＰｘ”に分割する。
【００５８】
同様に、リピータ７２は、受信データメモリ１７の“ｅＮＢ送信データ格納メモリ１７４”からｅＮＢ７３が送信したデータＹを読み出し、チャネルエンコード部２７に入力する。チャネルエンコード部２７にてデータＹをチャネルエンコードし、チャネルエンコードデータをデータ分割部２６にて、システマティックビットを含む“システマティックパートＳｙ”とパリティビットを含む“パリティパートＰｙ”に分割する。
【００５９】
各々分割されたデータの重要パートである、“システマティックパートＳｘ”と“システマティックパートＳｙ”が重ならないように、ネットワークコーディングデータ生成部２５にて、“システマティックパートＳｘ”と“パリティパートＰｙ”でＸＯＲ（排他的論理和）をとり、同様に、“システマティックパートＳｙ”と“パリティパートＰｘ”でＸＯＲ（排他的論理和）をとり、ネットワークコーディングデータを生成する。
【００６０】
また、ネットワークコーディングデータの分割位置を、送信データメモリ２２の“ネットワークコーディングデータ分割位置格納メモリ２２４”に保持する。
【００６１】
《変調動作》
リピータ７２は、変調部２４にて、ネットワークコーディングデータに変調をかける。
【００６２】
《伝搬逆特性生成動作》
続いて、リピータ７２は、受信データメモリ１７の“下り伝搬特性格納メモリ１７１”から、下り伝搬特性Ｈ１を読み出し、伝搬逆特性生成部１８にて、Ｈ１の逆特性受信Ｈ１−１を生成する。同様に、受信データメモリ１７の“上り伝搬特性格納メモリ１７２”から、上り伝搬特性Ｈ０を読み出し、伝搬逆特性生成部１８にて、Ｈ０の逆特性受信Ｈ０−１を生成する。
【００６３】
《プリコーディング動作》
リピータ７２は、移動局７１にとって重要な“システマティックパートＳｙ”が含まれるネットワークコーディングデータ（Ｓｙ  ＸＯＲ  Ｐｘ）に対し、移動局７１が受信時にかかる下り伝搬特性Ｈ１が補償されるように、伝搬逆特性生成部１８にて生成された下り伝搬逆特性Ｈ１−１をプリコーディング部２３にてかける。
【００６４】
同様に、ｅＮＢ７３にとって重要な“システマティックパートＳｘ”が含まれるネットワークコーディングデータ（Ｓｘ  ＸＯＲ  Ｐｙ）に対し、ｅＮＢ７３が受信時にかかる上り伝搬特性Ｈ０が補償されるように、伝搬逆特性生成部１８にて生成された上り伝搬逆特性Ｈ０−１をプリコーディング部２３にてかける。
【００６５】
プリコーディング部２３にて、最終的に生成されたネットワークコーディングデータを、送信データメモリ２２の“ネットワークコーディングデータ格納メモリ２２３”に保持する。また、プリコーディングの分割位置を、送信データメモリ２２の“プリコーディング分割位置格納メモリ２２５”に保持する。
【００６６】
《ネットワークコーディングデータ送信動作》
リピータ７２のネットワークコーディングデータを送信データメモリ２２の“ネットワークコーディングデータ格納メモリ２２３”から読みだし、バッファ２１に蓄積した後、Ｄ／Ａ変換部２０にてＤ／Ａ変換し、送信ＲＦ部１９でＲＦ帯域の信号までアップコンバートし、送信アンテナ１１から送信する。
【００６７】
同様に、ネットワークコーディングデータの分割位置を、送信データメモリ２２の“ネットワークコーディングデータ分割位置格納メモリ２２４”から、プリコーディングの分割位置を、送信データメモリ２２の“プリコーディング分割位置格納メモリ２２５”から読み出し、バッファ２１に蓄積した後、Ｄ／Ａ変換部２０にてＤ／Ａ変換し、送信ＲＦ部１９でＲＦ帯域の信号までアップコンバートし、送信アンテナ１１から送信する。
【００６８】
なお、これら分割位置に関しては、ネットワークコーディングデータのヘッダに含めてもよいし、別途、分割位置が変更されるタイミングで制御データとして送信されてもよい。
【００６９】
次に、移動局７１のブロック図を説明する。図５は、移動局７１のブロック図を示す。
【００７０】
《下り伝搬特性推定動作》
移動局７１は、リピータ７２から中継される参照信号を、受信ＲＦ部３２で受信する。受信した信号は受信ＲＦ部３２でベースバンド帯域までダウンコンバートされて、Ａ／Ｄ変換部３３に信号が入力される。Ａ／Ｄ変換部３３に入力された信号は、デジタル信号となってバッファ部３４に蓄積されたのち、伝搬特性推定部３５にて、下りの伝搬特性Ｈ１が推定され、受信データメモリ３８の“下り伝搬特性格納メモリ３８１”に保持されると同時に、チャネルエンコード部４５にてチャネルエンコードされ、変調部４４にて変調処理を施されたのちに、送信データメモリ４３の“下り伝搬特性格納メモリ４３１”にも保持される。
【００７１】
《上り伝搬特性受信動作》
続いて、移動局７１は、リピータ７２から中継される上り伝搬特性（Ｈ０）データを、受信ＲＦ部３２で受信する。受信した信号は受信ＲＦ部３２でベースバンド帯域までダウンコンバートされて、Ａ／Ｄ変換部３３に信号が入力される。Ａ／Ｄ変換部３３に入力された信号は、デジタル信号となってバッファ部３４に蓄積されたのち、復調及びチャネルデコード処理された結果を受信データメモリ３８の“上り伝搬特性格納メモリ３８２”に保持する、と同時に、伝搬路逆特性部３９にて逆特性Ｈ０−１が生成され、受信データメモリ３８の“上り伝搬逆特性格納メモリ３８３”に保持する。
【００７２】
《移動局送信データ送信動作》
つぎに、移動局７１は、送信データメモリ４３の“移動局送信データ格納メモリ４３２”に保持してある、移動局送信データＸを読み出し、バッファ４２に蓄積した後、Ｄ／Ａ変換部４１にてＤ／Ａ変換し、送信ＲＦ部４０でＲＦ帯域の信号までアップコンバートし、送信アンテナ３１から送信する。
【００７３】
《ネットワークコーディングデータ制御情報受信動作》
続いて、移動局７１は、リピータ７２から中継されるネットワークコーディングデータを受信ＲＦ部３２で受信する。受信した信号は受信ＲＦ部３２でベースバンド帯域までダウンコンバートされて、Ａ／Ｄ変換部３３に信号が入力される。Ａ／Ｄ変換部３３に入力された信号は、デジタル信号となってバッファ部３４に蓄積されたのち、まず、ヘッダ部分を復調及びチャネルデコード処理し、そこに含まれる、ネットワークコーディングデータ分割位置情報およびプリコーディング分割位置情報を、それぞれ、受信データメモリ３８の“ネットワークコーディングデータ分割位置格納メモリ３８４”および“プリコーディング分割位置格納メモリ３８５”に保持する。
【００７４】
《ネットワークコーディングデータ受信動作》
続いて、受信データメモリ３８の“ネットワークコーディングデータ分割位置格納メモリ３８４”および“プリコーディング分割位置格納メモリ３８５”から、それぞれ、ネットワークコーディングデータ分割位置情報およびプリコーディング分割位置情報を読み出し、この情報に基づき、移動局７１に対し重要なシステマティックパートＳｙを含むネットワークコーディングデータ部分に対しては、そのまま復調及びチャネルデコード処理を行い、パリティパートＰｙを含むネットワークコーディングデータ部分に対しては、受信データメモリ３８の“下り伝搬特性格納メモリ３８１”及び“上り伝搬逆特性格納メモリ３８３”から、下り伝搬特性Ｈ１と上り伝搬逆特性Ｈ０−１を読み出し、伝搬特性推定部３５にてＨ１・Ｈ０−１の逆特性が生成され、これを用いて伝搬特性を補償しつつ、復調及びチャネルデコード処理を行い、これら（Ｓｙ＋Ｐｙ）を合わせて、受信データメモリ３８の“ｅＮＢ送信データ格納メモリ３８７”に保持する。
【００７５】
次に、ｅＮＢ７３のブロック図を説明する。ｅＮＢ７３のブロック図としては、移動局７１のブロック図とデータメモリに格納される内容が異なるだけで、他は全く同じである。図６は、ｅＮＢ７３のブロック図である。
【００７６】
《上り伝搬特性推定動作》
ｅＮＢ７３は、リピータ７２から中継される参照信号を、受信ＲＦ部５２で受信する。受信した信号は受信ＲＦ部５２でベースバンド帯域までダウンコンバートされて、Ａ／Ｄ変換部５３に信号が入力される。Ａ／Ｄ変換部５３に入力された信号は、デジタル信号となってバッファ部５４に蓄積されたのち、伝搬特性推定部５５にて、上りの伝搬特性Ｈ０が推定され、受信データメモリ５８の“上り伝搬特性格納メモリ５８１”に保持されると同時に、チャネルエンコード部６５にてチャネルエンコードされ、変調部６４にて変調処理を施されたのちに、送信データメモリ６３の“上り伝搬特性格納メモリ６３１”にも保持される。
【００７７】
《下り伝搬特性受信動作》
続いて、ｅＮＢ７３は、リピータ７２から中継される下り伝搬特性（Ｈ１）データを、受信ＲＦ部５２で受信する。受信した信号は受信ＲＦ部５２でベースバンド帯域までダウンコンバートされて、Ａ／Ｄ変換部５３に信号が入力される。Ａ／Ｄ変換部５３に入力された信号は、デジタル信号となってバッファ部５４に蓄積されたのち、復調及びチャネルデコード処理された結果を受信データメモリ５８の“下り伝搬特性格納メモリ５８２”に保持する、と同時に、伝搬路逆特性部５９にて逆特性Ｈ１−１が生成され、受信データメモリ５８の“下り伝搬逆特性格納メモリ５８３”に保持する。
【００７８】
《ｅＮＢ送信データ送信動作》
つぎに、ｅＮＢ７３は、送信データメモリ６３の“ｅＮＢ送信データ格納メモリ６３２”に保持してある、ｅＮＢ送信データＹを読み出し、バッファ６２に蓄積した後、Ｄ／Ａ変換部６１にてＤ／Ａ変換し、送信ＲＦ部６０でＲＦ帯域の信号までアップコンバートし、送信アンテナ５１から送信する。
【００７９】
《ネットワークコーディングデータ制御情報受信動作》
続いて、ｅＮＢ７３は、リピータ７２から中継されるネットワークコーディングデータを受信ＲＦ部５２で受信する。受信した信号は受信ＲＦ部５２でベースバンド帯域までダウンコンバートされて、Ａ／Ｄ変換部５３に信号が入力される。Ａ／Ｄ変換部５３に入力された信号は、デジタル信号となってバッファ部５４に蓄積されたのち、まず、ヘッダ部分を復調及びチャネルデコード処理し、そこに含まれる、ネットワークコーディングデータ分割位置情報およびプリコーディング分割位置情報を、それぞれ、受信データメモリ５８の“ネットワークコーディングデータ分割位置格納メモリ５８４”および“プリコーディング分割位置格納メモリ５８５”に保持する。
【００８０】
《ネットワークコーディングデータ受信動作》
続いて、受信データメモリ５８の“ネットワークコーディングデータ分割位置格納メモリ５８４”および“プリコーディング分割位置格納メモリ５８５”から、それぞれ、ネットワークコーディングデータ分割位置情報およびプリコーディング分割位置情報を読み出し、この情報に基づき、ｅＮＢ７３に対し重要なシステマティックパートＳｘを含むネットワークコーディングデータ部分に対しては、そのまま復調及びチャネルデコード処理を行い、パリティパートＰｘを含むネットワークコーディングデータ部分に対しては、受信データメモリ５８の“上り伝搬特性格納メモリ５８１”及び“下り伝搬逆特性格納メモリ５８２”から、上り伝搬特性Ｈ０と下り伝搬逆特性Ｈ１−１を読み出し、伝搬特性推定部５５にてＨ０・Ｈ１−１の逆特性が生成され、これを用いて伝搬特性を補償しつつ、復調及びチャネルデコード処理を行い、これら（Ｓｘ＋Ｐｘ）を合わせて、受信データメモリ５８の“移動局送信データ格納メモリ５８７”に保持する。
【００８１】
なお、ここでは、分割位置に関しては、ネットワークコーディングデータのヘッダに含めた場合に関して、説明したが、これに限らず、別途、分割位置が変更されるタイミングで制御データとして受信してもよい。
【００８２】
このように実施の形態１によれば、移動局７１およびｅＮＢ７３において、各々、重要なシステマティックビットを含むシステマティックパートが理想的に受信できるので、確実にデータが受信できつつ、従来よりシステム全体の受信性能が向上する。
【００８３】
（実施の形態２）
図7（ａ）は、本発明の無線中継装置（以下、単にリピータＲＮと称す）における実施の形態２の概念図を示す。（１）リピータＲＮは、移動局ＭＳから受信（ＭＳ→ＲＮ）したデータＸを、重要なデータ（Ｓｘ：例えばシステマティックパート）と重要でないデータ（Ｐｘ：例えばパリティパート）に分割し、ｅＮＢから受信したデータＹを、重要なデータ（Ｓｙ：例えばシステマティックパート）と重要でないデータ（Ｐｙ：例えばパリティパート）に分割する。
【００８４】
次に、（２）リピータＲＮは、移動局ＭＳに対する重要なデータＳｘとｅＮＢに対する重要なデータＳｙが重ならないように配置して、分割したデータからＸＯＲ（排他的論理和）をとり、ネットワークコーディングデータＸ（Ｘ）Ｙを生成する。
【００８５】
（３）リピータＲＮは、上り伝搬特性及びその逆特性、並びに下り伝搬特性及びその逆特性から推定されるパリティパートの回線品質（Ｃｈａｎｎｅｌ  ｑｕａｌｉｔｙ）に基づき、パリティパートの回線品質の良い方のネットワークコーディングデータＸ（Ｘ）Ｙに、送信リソースを割り当てるようにスケジューリングする。言い換えれば、リピータRNは、上り伝搬特性Ｈ０と下り伝搬特性Ｈ１を知っているので、上り伝搬特性Ｈ０と下り伝搬逆特性Ｈ１−１の合成特性Ｈ０・Ｈ１−１の（ｅＮＢで受信されるパリティパートの伝搬特性）及び下り伝搬特性Ｈ１と上り伝搬逆特性Ｈ０−１の合成特性Ｈ１・Ｈ０−１の（ＭＳで受信されるパリティパートの伝搬特性）を求めることができ、この結果から推定されるパリティパートの回線品質（Ｃｈａｎｎｅｌ  ｑｕａｌｉｔｙ）に基づき、パリティパートの回線品質の良い方のネットワークコーディングデータＸ（Ｘ）Ｙに、送信リソースを割り当てるようにスケジューリングする。
【００８６】
そして、（４）リピータＲＮは、ネットワークコーディングデータＸ（Ｘ）Ｙにおいて、移動局ＭＳに対する重要なデータ部分Ｐｘ（Ｘ）Ｓｙには下り伝搬逆特性Ｈ１−１をかけ、一方、ｅＮＢに対する重要なデータ部分Ｓｘ（Ｘ）Ｐｙには上り伝搬逆特性Ｈ０−１をかけて送信する。
【００８７】
これによれば、移動局ＭＳは、下り伝搬特性を補償することなく重要なデータ部分Ｐｘ（Ｘ）Ｓｙデータを取り出すことができる。また、ｅＮＢは、上り伝搬特性を補償することなく重要なデータ部分Ｓｘ（Ｘ）Ｐｙを取り出すことができる。したがって、移動局ＭＳ及びｅＮＢにおいて、ネットワークコーディングデータを確実に受信できる上、さらに十分な受信性能が得られるようになる。さらに、リピータＲＮは、パリティパートの回線品質を考慮したスケジューリングを行っているので、移動局ＭＳ及びｅＮＢにおいて、パリティパートの受信性能も向上する。
【００８８】
図7（ｂ）は、本発明の無線中継装置（以下、リピータと称す）における実施の形態２のシーケンス図を示す。同図を参照して実施の形態２の動作を説明する。なお、実施の形態２のリピータの動作が実施の形態１のリピータの動作と異なる点は、ネットワークコーディングデータのパリティパートの回線品質（Ｃｈａｎｎｅｌ  ｑｕａｌｉｔｙ）を推定し、パリティパートの回線品質の良い方のデータに、送信リソースを割り当てるようにマッピングしてから、移動局及びｅＮＢへネットワークコーディングデータを送信する点である。
なお、実施の形態２のリピータ、移動局、及びｅＮＢの構成要件のうち、実施の形態１と同じ構成要件には同じ参照番号を付して説明する。
【００８９】
手順１：移動局７１はリピータ７２に対し、下り伝搬特性Ｈ１を通知する。リピータ７２は、ｅＮＢ７３に対し、Ｈ１を通知する。
手順２：ｅＮＢ７３はリピータ７２に対し、上り伝搬特性Ｈ０を通知する。リピータ７２は、移動局７１に対し、Ｈ０を通知する。
手順３：移動局７１は、リピータ７２に対し、データＸを送信する。
手順４：ｅＮＢ７３は、リピータ７２に対し、データＹを送信する。
【００９０】
手順５：リピータ７２は、データＸを、重要なシステマティックビットを含むシステマティックパートＳｘとパリティビットを含むパリティパートＰｘに分割する。
手順６：リピータ７２は、データＹを、重要なシステマティックビットを含むシステマティックパートＳｙとパリティビットを含むパリティパートＰｙに分割する。
【００９１】
手順７：リピータ７２は、データＳｘとＰｙのＸＯＲ（排他的論理和）をとり、上り伝搬逆特性Ｈ０−１をかける。
手順８：リピータ７２は、データＰｘとＳｙのＸＯＲ（排他的論理和）をとり、下り伝搬逆特性Ｈ１−１をかける。
【００９２】
手順９：リピータ７２は、移動局７１が受信するパリティパートの伝搬特性Ｈ１・Ｈ０−１及びｅＮＢが受信するパリティパートの伝搬特性Ｈ０・Ｈ１−１を計算し、その計算結果から、移動局７１及びｅＮＢ７３が受信するパリティパートの回線品質（Ｃｈａｎｎｅｌ  ｑｕａｌｉｔｙ）を推定する。
手順１０：リピータ７２は、手順９で得たパリティパートの回線品質の推定結果に基づき、回線品質の良い方のデータに送信リソースを割り当てるようにスケジューリングする。
手順１１：リピータ７２は、手順７と８で得られたデータをネットワークコーディングデータとして、移動局７１及びｅＮＢ７３へ送信する。
【００９３】
手順１２：移動局７１は、重要なシステマティックパートＳｙ対し、下り伝搬特性が予め補償されているので、そのまま、受信した（Ｐｘ  ＸＯＲ  Ｓｙ）データから、データＳｙを取り出せる。一方、パリティパートＰｙに対しても、かかっていると予測される伝搬特性Ｈ１・Ｈ０−１の逆特性を、手順２で通知されたＨ０と、もともと自局で持つＨ１から生成し、受信したネットワークコーディングデータ（Ｓｘ  ＸＯＲ  Ｐｙ）に対し、伝搬特性の補償を行ってから、データＰｙを取り出せる。
【００９４】
手順１３：ｅＮＢ７３は、重要なシステマティックパートＳｘ対し、上り伝搬特性が予め補償されているので、そのまま、受信した（Ｓｘ  ＸＯＲ  Ｐｙ）データから、データＳｘを取り出せる。一方、パリティパートＰｘ  に対しても、かかっていると予測される伝搬特性Ｈ０・Ｈ１−１の逆特性を、手順１で通知されたＨ１と、もともと自局で持つＨ０から生成し、受信したネットワークコーディングデータ（Ｐｘ  ＸＯＲ  Ｓｙ）に対し、伝搬特性の補償を行ってから、データＰｘを取り出せる。
【００９５】
このように実施の形態２によれば、移動局７１及びｅＮＢ７３において、各々、重要なシステマティックビットを含むシステマティックパートが理想的に受信できるので、確実にデータが受信でき、システム全体の受信性能が向上する。さらに、リピータは、パリティパートの回線品質を考慮したスケジューリングを行っているので、移動局７１及びｅＮＢ７３において、パリティビットを含むパリティパートの受信性能も向上する。
【００９６】
次に、実施の形態２にかかるリピータ７２、移動局７１及びｅＮＢ７３のブロック図の説明をする。なお、実施の形態１と同じ構成には同じ参照番号を付して説明する。図９は、実施の形態２のリピータ７２のブロック図を示す。
【００９７】
《移動局７１及びｅＮＢ７３からの伝搬特性受信動作》
リピータ７２は、受信ＲＦ部１２で、「移動局７１からの下り伝搬特性Ｈ１」を受信する。受信した信号は、受信ＲＦ部１２でベースバンド帯域までダウンコンバートされて、Ａ／Ｄ変換部１３に信号が入力される。Ａ／Ｄ変換部１３に入力された信号はデジタル信号となって、バッファ１４に蓄積され、復調及びチャネルデコード処理された結果を、受信データメモリ１７の「下り伝搬特性格納メモリ１７１」に保持する。
【００９８】
同様に、リピータ７２は、受信ＲＦ部１２で、「ｅＮＢ７３からの上り伝搬特性Ｈ０」を受信する。受信した信号は、受信ＲＦ部１２でベースバンド帯域までダウンコンバートされて、Ａ／Ｄ変換部１３に信号が入力される。Ａ／Ｄ変換部１３に入力された信号はデジタル信号となって、バッファ１４に蓄積され、復調及びチャネルデコード処理された結果を受信データメモリ１７の「上り伝搬特性格納メモリ１７２」に保持する。
【００９９】
《移動局７１及びｅＮＢ７３への伝搬特性送信動作》
リピータ７２は、下り伝搬特性Ｈ１を、受信データメモリ１７の「下り伝搬特性格納メモリ１７１」から読み出し、チャネルエンコード部２７にてチャネルエンコードする。チャネルエンコードされた下り伝搬特性Ｈ１のデータは、変調部２４にて変調され、送信データメモリ２２の「下り伝搬特性格納メモリ２２１」に保持される。
【０１００】
続いて、送信データメモリ部２２の「下り伝搬特性格納メモリ２２１」から、下り伝搬特性Ｈ１を読み出し、バッファ２１に蓄積する。その後、下り伝搬特性Ｈ１のデータを、Ｄ／Ａ変換部２０にてＤ／Ａ変換し、送信ＲＦ部１９でＲＦ帯域の信号までアップコンバートし、送信アンテナ１１から送信する。
【０１０１】
同様に、リピータ７２は、上り伝搬特性Ｈ０を、受信データメモリ１７の「上り伝搬特性格納メモリ１７２」から読み出し、チャネルエンコード部２７にてチャネルエンコードする。チャネルエンコードされた上り伝搬特性Ｈ０のデータは、変調部２４にて変調され、送信データメモリ２２の「上り伝搬特性格納メモリ２２２」に保持される。
【０１０２】
続いて、送信データメモリ２２の「上り伝搬特性格納メモリ２２２」から、上り伝搬特性Ｈ０を読み出し、バッファ２１に蓄積した後、Ｄ／Ａ変換部２０にてＤ／Ａ変換し、送信ＲＦ部１９でＲＦ帯域の信号までアップコンバートし、送信アンテナ１１から送信する。
【０１０３】
《移動局７１及びｅＮＢ７３からのデータ受信動作》
リピータ７２は、受信ＲＦ部１２で、「移動局７１からの送信データＸ」を受信する。受信した送信データＸは、受信ＲＦ部１２でベースバンド帯域までダウンコンバートされて、Ａ／Ｄ変換部１３に入力される。Ａ／Ｄ変換部１３に入力された送信データＸは、デジタル信号となって、バッファ１４に蓄積される。そして、送信データＸは、復調部１５での復調処理及びチャネルデコード部１６でのチェネルでコード処理の後、受信データメモリ１７の「移動局送信データ格納メモリ１７３」に保持される。
【０１０４】
同様に、リピータ７２は、受信ＲＦ部１２で、「ｅＮＢ７３からの送信データＹ」を受信する。受信した送信データＹは、受信ＲＦ部１２でベースバンド帯域までダウンコンバートされて、Ａ／Ｄ変換部１３に入力される。Ａ／Ｄ変換部１３に入力された送信データＹは、デジタル信号となって、バッファ１４に蓄積される。そして、送信データＹは、復調部１５での復調処理及びチャネルデコード部１６でのチェネルでコード処理の後、受信データメモリ１７の「ｅＮＢ送信データ格納メモリ１７４」に保持される。
【０１０５】
《ネットワークコーディングデータ生成動作》
リピータ７２は、受信データメモリ１７の“移動局送信データ格納メモリ１７３”から移動局７１が送信したデータＸを読み出して、チャネルエンコード部２７に入力する。リピータ７２は、チャネルエンコード部２７にてデータＸをチャネルエンコードし、チャネルエンコードしたデータＸをデータ分割部２６にて、システマティックビットを含む「システマティックパートＳｘ」とパリティビットを含む「パリティパートＰｘ」に分割する。
【０１０６】
同様に、リピータ７２は、受信データメモリ１７の「ｅＮＢ送信データ格納メモリ１７４」からｅＮＢ７３が送信したデータＹを読み出し、チャネルエンコード部２７に入力する。リピータ７２は、チャネルエンコード部２７にてデータＹをチャネルエンコードし、チャネルエンコードしたデータＹをデータ分割部２６にて、システマティックビットを含む「システマティックパートＳｙ」とパリティビットを含む「パリティパートＰｙ」に分割する。
【０１０７】
各々分割されたデータの重要な部分である、「システマティックパートＳｘ」と「システマティックパートＳｙ」が重ならないように、ネットワークコーディングデータ生成部２５にて、「システマティックパートＳｘ」と「パリティパートＰｙ」でＸＯＲ（排他的論理和）をとり、同様に、「システマティックパートＳｙ」と「パリティパートＰｘ」でＸＯＲ（排他的論理和）をとり、ネットワークコーディングデータを生成する。
【０１０８】
また、ネットワークコーディングデータの分割位置を、送信データメモリ２２の「ネットワークコーディングデータ分割位置格納メモリ２２４」に保持する。
【０１０９】
《変調動作》
リピータ７２は、変調部２４にて、ネットワークコーディングデータに変調をかける。
【０１１０】
《伝搬逆特性生成動作》
続いて、リピータ７２は、受信データメモリ１７の「下り伝搬特性格納メモリ１７１」から、下り伝搬特性Ｈ１を読み出し、伝搬逆特性生成部１８にて、Ｈ１の逆特性受信Ｈ１−１を生成する。同様に、受信データメモリ１７の「上り伝搬特性格納メモリ１７２」から、上り伝搬特性Ｈ０を読み出し、伝搬逆特性生成部１８にて、Ｈ０の逆特性受信Ｈ０−１を生成する。
【０１１１】
《プリコーディング動作》
リピータ７２は、移動局７１にとって重要な「システマティックパートＳｙ」が含まれるネットワークコーディングデータ（Ｓｙ  ＸＯＲ  Ｐｘ）に対し、移動局７１が受信時にかかる下り伝搬特性Ｈ１が補償されるように、伝搬逆特性生成部１８にて生成された下り伝搬逆特性Ｈ１−１をプリコーディング部２３にてかける。
【０１１２】
同様に、ｅＮＢ７３にとって重要な「システマティックパートＳｘ」が含まれるネットワークコーディングデータ（Ｓｘ  ＸＯＲ  Ｐｙ）に対し、ｅＮＢ７３が受信時にかかる上り伝搬特性Ｈ０が補償されるように、伝搬逆特性生成部１８にて生成された上り伝搬逆特性Ｈ０−１をプリコーディング部２３にてかける。
【０１１３】
《回線品質推定動作》
次に、パリティパートの回線品質を考慮したスケジューリングするために、リピータ７２は、移動局及びｅＮＢへ送信するネットワークコーディングデータのパリティパートの回線品質を、上り伝搬特性Ｈ０および下り伝搬特性Ｈ１に基づき、推定する。
【０１１４】
まず、リピータ７２は、回線品質推定部９８にて、下り伝搬特性Ｈ１及びその逆特性Ｈ１−１、並びに上り伝搬特性Ｈ０とその逆特性Ｈ０−１から、Ｈ１・Ｈ０−１の値及びＨ０・Ｈ１−１の値を計算する。
【０１１５】
Ｈ１・Ｈ０−１は、移動局７１で受信するネットワークコーディングデータのパリティパートの伝搬特性であり、移動局７１で受信するネットワークコーディングデータのパリティパートの回線品質の指標として用いることができる。同様に、Ｈ０・Ｈ１−１は、ｅＮＢ７３で受信するネットワークコーディングデータのパリティパートの伝搬特性であり、ｅＮＢ７３で受信するネットワークコーディングデータのパリティパートの回線品質の指標として用いることができる。
【０１１６】
移動局７１及びｅＮＢ７３で受信するネットワークコーディングデータのパリティパートの回線品質として、例えば、ＳＮＲ（Ｓｉｇｎａｌ  ｔｏ  Ｎｏｉｓｅ  Ｒａｔｉｏ）、ビット誤り率（ＢｉｔＥｒｒｏｒ  Ｒａｔｅ、ＢＥＲ）や受信レベルなどが適用できる。
【０１１７】
図８（ａ）に、Ｈ１・Ｈ０−１の値及びＨ０・Ｈ１−１の値の計算結果から推定される回線品質の一例を示す。図８（ａ）の縦軸は周波数ｆ、横軸はＨ１・Ｈ０−１又はＨ０・Ｈ１−１から推定される回線品質を示す。ここで、リピータ７２は、Ｈ１・Ｈ０−１の値及びＨ０・Ｈ１−１の値の計算結果から、移動局及びｅＮＢへ送信するネットワークコーディングデータのパリティパートの回線品質を推定する。図８（ａ）に示す周波数帯域Ａでは、Ｈ１・Ｈ０−１から推定される回線品質が、Ｈ０・Ｈ１−１から推定される回線品質よりも良い。このため、周波数帯域Ａでは、リピータ７２が移動局７１へ中継するネットワークコーディングデータのパリティパートの回線品質が、リピータ７２がｅＮＢ７３へ中継するネットワークコーディングデータのパリティパートの回線品質よりも良いと推定できる。一方、図８（ａ）に示す周波数帯域Ｂでは、Ｈ０・Ｈ１−１から推定される回線品質がＨ１・Ｈ０−１から推定される回線品質よりも良い。このため、周波数帯域Ｂでは、リピータ７２がｅＮＢ７３へ中継するネットワークコーディングデータのパリティパートの回線品質が、リピータ７２が移動局７１へ中継するネットワークコーディングデータのパリティパートの回線品質よりも良いと推定できる。
【０１１８】
次に、上述のようなパリティパートの回線品質の推定結果から、リピータ７２は、データマッピング部９９で、移動局及びｅＮＢへ送信するデータに送信リソースを割り当てる。図８（ｂ）は、図８（ａ）に示す計算結果に基づくリソースの割り当ての一例を示す図である。図８（ｂ）の縦軸は周波数ｆ、横軸は時間ｔを示す。図８（ｂ）に示すように、周波数帯域Ａでは、移動局７１向けのネットワークコーディングデータに対して、送信リソースを割り当てるようにスケジューリングする。一方、周波数帯域Ｂでは、ｅＮＢ７３向けのネットワークコーディングデータに対して、送信リソースを割り当てるようにスケジューリングする。
【０１１９】
次に、プリコーディング部２３にて、移動局７１にとって重要な「システマティックパートＳｙ」が含まれるネットワークコーディングデータ（Ｓｙ  ＸＯＲ  Ｐｘ）と、ｅＮＢ７３にとって重要な「システマティックパートＳｘ」が含まれるネットワークコーディングデータ（Ｓｘ  ＸＯＲ  Ｐｙ）とから、最終的に生成されたネットワークコーディングデータを、送信データメモリ２２の「ネットワークコーディングデータ格納メモリ２２３」に保持する。また、プリコーディングの分割位置を、送信データメモリ２２の「プリコーディング分割位置格納メモリ２２５」に保持する。
【０１２０】
《ネットワークコーディングデータ送信動作》
リピータ７２のネットワークコーディングデータを送信データメモリ２２の「ネットワークコーディングデータ格納メモリ２２３」から読みだし、バッファ２１に蓄積した後、Ｄ／Ａ変換部２０にてＤ／Ａ変換し、送信ＲＦ部１９でＲＦ帯域の信号までアップコンバートし、送信アンテナ１１から送信する。
【０１２１】
同様に、ネットワークコーディングデータの分割位置を、送信データメモリ２２の「ネットワークコーディングデータ分割位置格納メモリ２２４」から、プリコーディングの分割位置を、送信データメモリ２２の「プリコーディング分割位置格納メモリ２２５」から読み出し、バッファ２１に蓄積した後、Ｄ／Ａ変換部２０にてＤ／Ａ変換し、送信ＲＦ部１９でＲＦ帯域の信号までアップコンバートし、送信アンテナ１１から送信する。
【０１２２】
実施の形態２の移動局及びｅＮＢが実施の形態１の移動局及びｅＮＢと異なる点は、リピータ７２から受信するネットワークコーディングが、そのパリティパートの回線品質をも考慮されてスケジューリングされている点であり、それ以外は、実施の形態１の移動局及びｅＮＢと同じである。そのため、実施の形態２の移動局及びｅＮＢは、重要なシステマティックビットを含むシステマティックパートを理想的に受信できる上に、さらにパリティパートを受信する性能も向上する。
【０１２３】
上述のように、実施の形態２によれば、移動局７１及びｅＮＢ７３において、各々、重要なシステマティックビットを含むシステマティックパートが理想的に受信できるので、確実にデータが受信できつつ、システム全体の受信性能が向上する。さらに、リピータ７２は、パリティパートの回線品質を考慮したスケジューリングを行っているので、移動局７１及びｅＮＢ７３において、パリティパートの受信性能も向上する。
【０１２４】
なお、実施の形態２において、ネットワークコーディングデータのパリティパートが複数のパリティパートで構成されている場合、例えば複数のパリティパート間で誤り検出の観点から優劣がある場合、この複数のパリティパート間を、リソース割り当ての切り口にしてもよい。同様に、実施の形態２において、ネットワークコーディングデータのパリティパートの中でも位置によって優劣がある場合、パリティパート内の位置を割り当ての切り口にしてもよい。
【０１２５】
なお、実施の形態２において、分割位置に関しては、ネットワークコーディングデータのヘッダに含めた場合に関して、説明したが、これに限らず、別途、分割位置が変更されるタイミングで制御データとして受信してもよい。
【０１２６】
また、上記実施例の説明に用いた機能ブロック図は、典型的には集積回路であるＬＳＩとして実現される。これらは個別に１チップ化されてもよいし、一部または全てを含むように１チップ化されてもよい。ここではＬＳＩとしたが、集積度の違いにより、ＩＣ、システムＬＳＩ、スーパーＬＳＩ、ウルトラＬＳＩと呼称されることがある。
【０１２７】
また、集積回路化の手法は、ＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｌａｙ）や、ＬＳＩ内部の回路セルの接続や設定を再構成可能なリコンフィギュラブル・プロセッサー（Ｒｅ−ｃｏｎｆｉｇｕｒａｂｌｅ  Ｐｒｏｃｅｓｓｏｒ）  を利用してもよい。
【０１２８】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１２９】
なお、上記実施の形態ではアンテナとして説明したが，アンテナポートでも同様に適用できる。アンテナポート（antenna port）とは、1本または複数の物理アンテナから構成される，論理的なアンテナを指す。すなわち、アンテナポートは必ずしも1本の物理アンテナを指すとは限らず、複数のアンテナから構成されるアレイアンテナ等を指すことがある。例えばLTEにおいては、アンテナポートが何本の物理アンテナから構成されるかは規定されず、基地局が異なるReference signalを送信できる最小単位として規定されている。また、アンテナポートはPrecoding vectorの重み付けを乗算する最小単位として規定されることもある。
【０１３０】
本出願は、２００８年５月１９日出願の日本特許出願（特願２００８−１３０７４９）、２００８年８月２８日出願の日本出願（特願２００８−２２０１３８）、に基づくものであり、その内容はここに参照として取り込まれる。
【産業上の利用可能性】
【０１３１】
本発明は、移動局および基地局がネットワークコーディングデータを確実に受信するとともに、移動局および基地局において十分な受信性能が得られる無線中継装置として利用可能である。
【符号の説明】
【０１３２】
１１，３１，５１  アンテナ
１２，３２，５２  受信ＲＦ部
１３，３３，５３  Ａ／Ｄ変換部
１４，２１，３４，４２，５４，６２  バッファ部
１５，３６，５６  復調部
１６，３７，５７  チャネルデコード部
１７，３８，５８  受信データメモリ
１８，３９，５９  伝搬逆特性生成部
１９，４０，６０  送信ＲＦ部
２０，４１，６１  Ｄ／Ａ変換部
２２，４３，６３  送信データメモリ
２３  プリコーディング部
２４，４４，６４  変調部
２５  ネットワークコーディングデータ生成部
２６  データ分割部
２７，４５，６５  チャネルエンコード部
３５，５５  伝搬特性推定部
７１  移動局
７２  リピータ
７３  ｅＮＢ
９８  回線品質推定部
９９  データマッピング部
１７１，２２１，３８１，４３１，５８２  下り伝搬特性格納メモリ
１７２，２２２，３８２，５８１，６３１  上り伝搬特性格納メモリ
１７３，４３２，５８７  移動局送信データ格納メモリ
１７４，３８７，６３２  ｅＮＢ送信データ格納メモリ
２２３，３８６，５８６  ネットワークコーディングデータ格納メモリ
２２４，３８４，５８４  ネットワークコーディングデータ分割位置格納メモリ
２２５，３８５，５８５  プリコーディング分割位置格納メモリ
３８３  上り伝搬逆特性格納メモリ
５８３  下り伝搬逆特性格納メモリ
【図１】
2009141974.tif 000003
【図２】
2009141974.tif 000004
【図３】
2009141974.tif 000005
【図４】
2009141974.tif 000006
【図５】
2009141974.tif 000007
【図６】
2009141974.tif 000008
【図７】
2009141974.tif 000009
【図８】
2009141974.tif 000010
【図９】
2009141974.tif 000011
【図１０】
2009141974.tif 000012
【図１１】
2009141974.tif 000013
【図１２】
2009141974.tif 000014
【図１３】
2009141974.tif 000015
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
第１無線通信装置と第２無線通信装置との通信を中継する無線中継装置であって、
前記第１および第２無線通信装置からデータを受信する受信部と、
前記第１無線通信装置から受信した第１データと前記第２無線通信装置から受信した第２データとを用いてネットワークコーディングデータを生成するものであって、各データを重要度の高いブロックと重要度の低いブロックに分割し、各データの重要度の高いブロックと、各データの重要度の低いブロックとから排他的論理和をとることで前記ネットワークコーディングデータを生成するネットワークコーディングデータ生成部と、
前記ネットワークコーディングデータの一の部分と他の部分とで、それぞれ異なるプリコーディングをかけるプリコーディング部と、
前記プリコーディングしたネットワークコーディングデータを送信する送信部と
を有する無線中継装置。
【請求項２】
請求項１記載の無線中継装置であって、
前記重要度の高いブロックは、各データのシステマティックビットを含むシステマティックパートを含み、前記重要度の低いブロックは、各データのパリティビットを含むパリティパートを含む無線中継装置。
【請求項３】
請求項２記載の無線中継装置であって
第１無線通信装置との間の伝搬特性及び当該伝搬特性の逆特性、並びに第２無線通信装置との間の伝搬特性及び当該伝搬特性の逆特性に基づき、重要度の低いブロックに係る第１無線通信装置との間の回線品質及び重要度の低いブロックに係る第２無線通信装置との間の回線品質を推定する推定部と、
前記推定部の推定結果に基づき、前記ネットワークコーディングータに、当該ネットワークコーディングデータを送信するための送信リソースを割り当てるリソース割り当て部と、を備える無線中継装置。
【請求項４】
請求項２記載の無線中継装置であって、
前記ネットワークコーディングデータの一の部分には、前記第１データのシステマティックパートが含まれ、前記ネットワークコーディングデータの他の部分には、前記第２データのシステマティックパートが含まれており、
前記プリコーディング部において、
第２無線通信装置との間の伝搬特性の逆特性を、前記ネットワークコーディングデータの一の部分にかけ、
第１無線通信装置との間の伝搬特性の逆特性を、前記ネットワークコーディングデータの他の部分にかける無線中継装置。
【請求項５】
請求項２に記載の無線中継装置であって、
前記ネットワークコーディングデータの送信先である、少なくとも前記第１および第２無線通信装置のいずれか一方における信号対干渉雑音電力比が最大となるように、前記ネットワークコーディングデータのプリコーディング位置を設定する無線中継装置。
【請求項６】
請求項４記載の無線中継装置であって、
前記ネットワークコーディングデータの一の部分と前記ネットワークコーディングデータの他の部分との比率を、前記ネットワークコーディングデータの送信先である各無線通信装置における信号対干渉雑音電力比が最大となるように設定する無線中継装置。
【請求項７】
通信相手装置との通信を行う際に、前記通信を中継する無線中継装置を介してデータを送受信する無線通信装置であって、
前記通信相手装置から前記無線中継装置を介して受信する第１データと自装置から前記無線中継装置を介して前記通信相手装置へ送信する第２データとを用いて、前記各データのシステマティックビットを含むシステマティックパートと、前記各データのパリティビットを含むパリティパートとから排他的論理和をとり、当該データの一の部分と他の部分とでそれぞれ異なるプリコーディングをかけて生成され、前記無線中継装置から送信されたネットワークコーディングデータを受信する受信部と、
前記システマティックパートと前記パリティパートとを分けるネットワークコーディングデータの分割位置と、前記異なるプリコーディングを行うプリコーディングの分割位置とに基づき、前記無線中継装置を介して前記通信相手装置から受信したネットワークコーディングデータから自装置に必要な第１データを復調する復調部と、
を備える無線通信装置。
【請求項８】
請求項７に記載の無線通信装置であって、
前記ネットワークコーディングデータの一の部分には、前記第１データのシステマティックパートが含まれ、前記ネットワークコーディングデータの他の部分には、前記第２データのシステマティックパートが含まれており、前記プリコーディングとして、前記ネットワークコーディングデータの一の部分には前記無線中継装置と自装置との間の第１の伝搬特性の逆特性がかけられ、前記ネットワークコーディングデータの他の部分には前記無線中継装置と前記通信相手装置との間の第２の伝搬特性の逆特性がかけられている場合、
前記復調部は、前記ネットワークコーディングデータの分割位置と、前記異なるプリコーディングを行うプリコーディングの分割位置と、前記第１伝搬特性及び第２伝搬特性とに基づき、前記受信したネットワークコーディングデータのうちの一の部分は自装置からの第２データを用いて復調し、他の部分は前記第１伝搬特性と前記第２伝搬特性の逆特性とをかけた後、自装置からの第２データを用いて復調する無線通信装置。
【請求項９】
第１無線通信装置と第２無線通信装置との通信を中継する無線通信方法であって、
前記第１および第２無線通信装置からデータを受信し、
前記第１無線通信装置から受信した第１データと前記第２無線通信装置から受信した第２データとを用いて、各データを重要度の高いブロックと重要度の低いブロックに分割し、各データの重要度の高いブロックと、各データの重要度の低いブロックとから排他的論理和をとることでネットワークコーディングデータを生成し、
前記ネットワークコーディングデータの一の部分と他の部分とで、それぞれ異なるプリコーディングをかけ、
前記プリコーディングしたネットワークコーディングデータを送信する無線通信方法。
【請求項１０】
通信相手装置との通信を行う際に、前記通信を中継する無線中継装置を介してデータを送受信する無線通信方法であって、
前記通信相手装置から前記無線中継装置を介して受信する第１データと自装置から前記無線中継装置を介して前記通信相手装置へ送信する第２データとを用いて、前記各データのシステマティックビットを含むシステマティックパートと、前記各データのパリティビットを含むパリティパートとから排他的論理和をとり、当該データの一の部分と他の部分とでそれぞれ異なるプリコーディングをかけて生成され、前記無線中継装置から送信されたネットワークコーディングデータを受信し、
前記システマティックパートと前記パリティパートとを分けるネットワークコーディングデータの分割位置と、前記異なるプリコーディングを行うプリコーディングの分割位置とに基づき、前記無線中継装置を介して前記通信相手装置から受信したネットワークコーディングデータから自装置に必要な第１データを復調する
無線通信方法。
【手続補正書】
【提出日】平成22年11月18日(2010.11.18)
【手続補正１】
【補正対象書類名】明細書
【補正対象項目名】全文
【補正方法】変更
【補正の内容】
【発明の詳細な説明】
【技術分野】
【０００１】
本発明は、無線中継装置に関し、特に、移動局および基地局がネットワークコーディングデータを確実に受信するとともに、移動局および基地局において十分な受信性能が得られる無線中継装置に関する。
【背景技術】
【０００２】
ネットワークコーディングは、従来、有線網で情報を効率よく伝送する仕組みとして使われてきたが、現在、無線リピータ（以降、単にリピータと呼ぶ）に、この仕組み（ネットワークコーディング）を適用することが盛んに検討されている。
【０００３】
図１０は、移動局（ＭＳ）７１、リピータ７２およびｅＮＢ（基地局）７３による無線中継システムを示す。同図を参照してリピータ７２におけるネットワークコーディングの動作例を説明する。
【０００４】
手順１：移動局７１は、通信中のリピータ７２に対し、データＸを送信する。
手順２：ｅＮＢ７３は、通信中のリピータ７２に対し、データＹを送信する。
手順３：リピータ７２は、データＸとＹのＸＯＲ（排他的論理和）をとって、移動局７１およびｅＮＢ７３に対し、データ（Ｘ  ＸＯＲ  Ｙ）を送信する（以降、この処理を施されたデータをネットワークコーディングデータと呼ぶ）。
【０００５】
手順４：移動局７１は自局が送信したデータＸを知っているので、受信した（Ｘ  ＸＯＲ  Ｙ）データから、データＹを取り出せる。
手順５：ｅＮＢ７３は自局が送信したデータＹを知っているので、受信した（Ｘ  ＸＯＲ  Ｙ）データから、データＸを取り出せる。
【０００６】
このようにすることで、従来は、リピータ７２からｅＮＢ７３へデータＸを送信し、リピータ７２から移動局７１へデータＹを送信していた処理を１度で行えるため、周波数及び時間の利用効率を高めることができる。
【先行技術文献】
【特許文献】
【０００７】
【特許文献１】日本国特開２００３−１７４３９２号公報
【特許文献２】日本国特開２００５−２２９５２４号公報
【発明の概要】
【発明が解決しようとする課題】
【０００８】
しかし、このネットワークコーディングの仕組みを無線通信に利用する際に、有線では発生しえなかった課題があった。その１つに、リピータ７２‐移動局７１間、リピータ７２‐ｅＮＢ７３間には大きく異なる伝搬特性が存在し、受信した際のネットワークコーディングデータには、移動局７１およびｅＮＢ７３において、各々独立な伝搬特性がかかって受信してしまう、という点である。
【０００９】
そこで、この伝搬特性を予め補償して送るプリコーディング処理を施すことが考えられるが、ネットワークコーディングデータにプリコーディングを施す場合、どちらの伝搬特性に合わせてプリコーディングを施してよいか分らない、という課題があった。なお、プリコーディングとは、送り側で伝搬特性の逆特性をかけて予め補償することにより、受け側にデータを送る技術である。
【００１０】
つまり、図１１に示すように、リピータ７２からみて移動局７１への下り伝搬特性がＨ１、ｅＮＢ７３への上り伝搬特性がＨ０であった場合、ネットワークコーディングデータに対し、移動局７１向けにはＨ１−１をかけたいが、一方で、ｅＮＢ７３向けにはＨ０−１をかけたいという相容れない要望があった。
【００１１】
そこで、単純な解決方法として、リピータ７２は固定設置でｅＮＢ７３と見通しの環境であることが多く、一般的には、リピータ７２‐ｅＮＢ７３間の伝搬環境は良好であると考えられる一方で、リピータ７２‐移動局７１間は、リピータ７２‐ｅＮＢ７３間に比べ劣悪な伝搬環境であるとみなせるため、リピータ７２は移動局７１に有利なように、ネットワークコーディングデータに下り伝搬環境の逆特性Ｈ１−１をかける、といった方法が考えられる。
【００１２】
図１２は、移動局（ＭＳ）７１、リピータ（ＲＮ）７２およびｅＮＢ７３間の動作シーケンス図を示す。同図を例に、リピータを介した移動局（ＭＳ）とｅＮＢ７３間のデータの送受信を説明する。
【００１３】
手順１：移動局７１はリピータ７２に対し、下り伝搬特性Ｈ１を通知する。リピータ７２は、ｅＮＢ７３に対し、Ｈ１を通知する。
手順２：ｅＮＢ７３はリピータ７２に対し、上り伝搬特性Ｈ０を通知する。リピータ７２は、移動局７１に対し、Ｈ０を通知する。
【００１４】
手順３：移動局７１は、リピータ７２に対し、データＸを送信する。
手順４：ｅＮＢ７３は、リピータ７２に対し、データＹを送信する。
手順５：リピータ７２は、データＸとＹのＸＯＲ（排他的論理和）をとり、さらに、下り伝搬逆特性Ｈ１−１をデータ（Ｘ  ＸＯＲ  Ｙ）全体に対しかけて、移動局７１およびｅＮＢ７３へ送信する。
【００１５】
手順６：移動局７１は、下り伝搬特性が予め補償されているので、そのまま、受信した（Ｘ  ＸＯＲ  Ｙ）データから、データＹを取り出せる。
手順７：ｅＮＢ７３は、ネットワークコーディングデータにかかっていると予測される伝搬特性Ｈ０・Ｈ１−１の逆特性を、手順１で通知されたＨ１と、もともと自局で持つＨ０から生成し、受信したネットワークコーディングデータに対し、伝搬特性の補償を行ってから、受信した（Ｘ  ＸＯＲ  Ｙ）データから、データＸを取り出せる。
【００１６】
このようにすることで、ｅＮＢ７３で受信されるネットワークコーディングデータ全体にかかる伝搬特性Ｈ０・Ｈ１−１に問題がなければ、移動局７１およびｅＮＢ７３において正しくデータを受信することができる。
【００１７】
しかし、図１３に示すように、ｅＮＢ７３で受信されるネットワークコーディングデータ全体にかかる伝搬特性Ｈ０・Ｈ１−１に依存して、ｅＮＢ７３の受信特性が大きく左右してしまい、例えば、Ｈ０・Ｈ１−１の対角要素が“０”となってしまうような最悪の場合、ｅＮＢ７３においてネットワークコーディングデータが受信できない、といった課題があった。
【００１８】
本発明の目的は、移動局および基地局がネットワークコーディングデータを確実に受信するとともに、移動局および基地局において十分な受信性能が得られる無線中継装置を提供することである。
【課題を解決するための手段】
【００１９】
本発明の無線中継装置は、第１無線通信装置と第２無線通信装置との通信を中継する無線中継装置であって、前記第１および第２無線通信装置からデータを受信する受信部と、前記第１無線通信装置から受信した第１データと前記第２無線通信装置から受信した第２データとを用いてネットワークコーディングデータを生成するものであって、各データを重要度の高いブロックと重要度の低いブロックに分割し、各データの重要度の高いブロックと、各データの重要度の低いブロックとから排他的論理和をとることで前記ネットワークコーディングデータを生成するネットワークコーディングデータ生成部と、前記ネットワークコーディングデータの一の部分と他の部分とで、それぞれ異なるプリコーディングをかけるプリコーディング部と、前記プリコーディングしたネットワークコーディングデータを送信する送信部とを有する無線中継装置。
【００２０】
上記構成によれば、第１無線通信装置および第２無線通信装置において、各々、重要度の高いデータのブロックと、重要度の低いデータのブロックが理想的に受信できるので、確実にデータが受信できつつ、従来よりシステム全体の受信性能が向上する。
【００２１】
また、上記構成において、前記重要度の高いブロックは、各データのシステマティックビットを含むシステマティックパートを含み、前記重要度の低いブロックは、各データのパリティビットを含むパリティパートを含む。
【００２２】
このような構成によれば、第１無線通信装置および第２無線通信装置において、各々、重要なシステマティックビットを含むシステマティックパートが理想的に受信できるので、確実にデータが受信できつつ、従来よりシステム全体の受信性能が向上する。
【００２３】
また、本発明の無線中継装置において、第１無線通信装置との間の伝搬特性及び当該伝搬特性の逆特性、並びに第２無線通信装置との間の伝搬特性及び当該伝搬特性の逆特性に基づき、前記重要度の低いブロックに係る第１無線通信装置との間の回線品質及び重要度の低いブロックに係る第２無線通信装置との間の回線品質を推定する推定部と、前記推定部の推定結果に基づき、前記ネットワークコーディングデータに、当該ネットワークコーディングデータを送信するための送信リソースを割り当てるリソース割り当て部と、を備える。このような構成によれば、第１無線通信装置および第２無線通信装置において、各々、重要なシステマティックビットを含むシステマティックパートが理想的に受信できるので、確実にデータが受信できつつ、従来よりシステム全体の受信性能が向上する。さらに、パリティパートの回線品質を考慮したスケジューリングを行っているので、第１無線通信装置及び第２無線通信装置において、パリティビットを含むパリティパートの受信性能も向上する。
【００２４】
また、本発明の無線中継装置において、前記ネットワークコーディングデータの一の部分には、前記第１データのシステマティックパートが含まれ、前記ネットワークコーディングデータの他の部分には、前記第２データのシステマティックパートが含まれており、前記プリコーディング部において、第２無線通信装置との間の伝搬特性の逆特性を、前記ネットワークコーディングデータの一の部分にかけ、第１無線通信装置との間の伝搬特性の逆特性を、前記ネットワークコーディングデータの他の部分にかける。
【００２５】
上記構成によれば、第２無線通信装置との間の伝搬特性の逆特性をネットワークコーディングデータの一の部分にかけ、第１無線通信装置との間の伝搬特性の逆特性をネットワークコーディングデータの他の部分にかけるので、第１無線通信装置および第２無線通信装置で伝搬特性を補償することなく重要なシステマティックビットを含むシステマティックパートが取り出せる。
【発明の効果】
【００２６】
以上説明したように、本発明に係る無線中継装置によれば、移動局に送信する重要なデータに予め下り伝搬特性が補償されているので、移動局で伝搬特性を補償することなくデータが取り出せ、ｅＮＢに送信する重要なデータに予め上り伝搬特性が補償されているので、ｅＮＢで伝搬特性を補償することなくデータが取り出せるので、移動局およびｅＮＢにおいてネットワークコーディングデータを確実に受信できる上、さらに十分な受信性能が得られるようになる。
【図面の簡単な説明】
【００２７】
【図１】本発明の無線中継装置におけるネットワークコーディングを説明するための図
【図２】（ａ）は、本発明の無線中継装置における実施の形態１の概念図、（ｂ）は、本発明の無線中継装置における実施の形態１を説明するためのシーケンス図
【図３】（ａ）は、本発明の無線中継装置における実施の形態１のバリエーションを説明するための概念図、（ｂ）は、そのシーケンス図
【図４】本発明の無線中継装置における実施の形態１のリピータのブロック図
【図５】本発明の無線中継装置における実施の形態１の移動局のブロック図
【図６】本発明の無線中継装置における実施の形態１のｅＮＢのブロック図
【図７】（ａ）本発明の無線中継装置における実施の形態２の概念図、（ｂ）本発明の無線中継装置における実施の形態２のシーケンス図
【図８】（ａ）Ｈ１・Ｈ０−１の値及びＨ０・Ｈ１−１の値の計算結果から推定される回線品質の一例示す図、（ｂ）図８（ａ）に示す計算結果に基づく送信リソースの割り当ての一例を示す図
【図９】本発明の無線中継装置における実施の形態２のリピータのブロック図
【図１０】従来の移動局（ＭＳ）７１、リピータ７２およびｅＮＢ７３による無線中継システムを示す図
【図１１】無線中継システムにネットワークコーディングを適用する際の課題を説明するための図
【図１２】無線中継システムにネットワークコーディングを適用する際の動作シーケンス図
【図１３】無線中継システムにネットワークコーディングを適用する際の課題を説明するためのイメージ図
【発明を実施するための形態】
【００２８】
本発明では、第１無線通信装置と第２無線通信装置との通信を中継する無線中継装置の一例として、（１）前記第１無線通信装置と前記第２無線通信装置から受信するデータをその重要度に着目することによって、各データの重要度の高いブロックと各データの重要度の低いブロックとに分割し、（２）各データの重要度の高いブロックが重ならないように配置して、前記分割した各データの重要度の高いブロックと各データの重要度の低いブロックとからネットワークコーディングデータを生成し、（３）前記ネットワークコーディングデータの一の部分と他の部分とに分割することで、それぞれ異なるプリコーディングをかけて、前記プリコーディングしたネットワークコーディングデータを送信する。（３）の分割位置は、（１）の分割位置と同じでもよいし、あるいは異なっていてもよい。なお、以下の実施例は説明のための一例であって、本発明はこれに限定されるものではない。
【００２９】
重要度の選定基準として、（１）送信データがそれ自身のみで復調可能（ｓｅｌｆ  ｄｅｃｏｄａｂｌｅ）かそうでないか（Ｎｏｎ  ｓｅｌｆ  ｄｅｃｏｄａｂｌｅ）、その一例として送信データをシステマティックパートとパリティパートに分ける、（２）冗長データを含む送信データと冗長データを含まない送信データに分ける（３）送信データが制御データであるか否かを示すフラグか、それとも情報かによって分ける等、が考えられる。また、同じデータ内の重要度に応じてｃｏｄｉｎｇを変える場合には、重要度の選定基準として、（４）送信データの符号化率か高いか、もしくは低いかが考えられる。さらに、同じデータ内に緊急情報（例えば、ハンドオーバーに係る情報）と通常情報が混在する場合には、重要度の選定基準として、（５）緊急情報であるか、それとも通常情報であるかが考えられる。なお、このような重要度の性質は、上り伝搬路と下り伝搬路とで異なっていてもよい。
【００３０】
図１は、本発明のイメージ図を示す。図１（ａ）に示すように、（１）リピータＲＮは、移動局ＭＳから受信（ＭＳ→ＲＮ）したデータＸを、データの重要度の着目してａ（重要），ｂに分割し、基地局ｅＮＢ（以下、ｅＮＢと略す）から受信（ｅＮＢ→ＲＮ）したデータＹをデータの重要度の着目してｃ，ｄ（重要）に分割する。次に、（２）リピータＲＮは、移動局ＭＳに対する重要なデータｄ（重要）とｅＮＢに対する重要なデータａ（重要）が重ならないように配置してＸＯＲ（排他的論理和）をとる。以下、このように形成されたデータを、（１）移動局ＭＳに対する重要なデータｄを含むデータ部分ｂ（Ｘ）ｄ、（２）ｅＮＢに対する重要なデータａを含むデータ部分ａ（Ｘ）ｃと記載する。
【００３１】
そして図１（ｂ）に示すように、（３）リピータＲＮは、移動局ＭＳに対する重要なデータ部分ｂ（Ｘ）ｄには、下り伝搬逆特性Ｈ１−１をかけ、一方、ｅＮＢに対する重要なデータ部分ａ（Ｘ）ｃには、上り伝搬逆特性Ｈ０−１をかけて送信する。
【００３２】
本発明によれば、移動局ＭＳに送信する重要なデータｂ（Ｘ）ｄに予め下り伝搬特性が補償されているので、移動局ＭＳで伝搬特性を補償することなくデータが取り出せ、ｅＮＢに送信する重要なデータａ（Ｘ）ｃに予め上り伝搬特性が補償されているので、ｅＮＢで伝搬特性を補償することなくデータが取り出せるので、移動局ＭＳおよびｅＮＢにおいてネットワークコーディングデータを確実に受信できる上、さらに十分な受信性能が得られるようになる。
【００３３】
（実施の形態１）
図２（ａ）は、本発明の無線中継装置における実施の形態１の概念図を示す。（１）リピータＲＮは、移動局ＭＳから受信（ＭＳ→ＲＮ）したデータＸを、重要なデータ（Ｓｘ：例えばシステマティックパート）と重要でないデータ（Ｐｘ：例えばパリティパート）に分割し、ｅＮＢから受信（ｅＮＢ→ＲＮ）したデータＹを、重要なデータ（Ｓｙ：例えばシステマティックパート）と重要でないデータ（Ｐｙ：例えばパリティパート）に分割する。
【００３４】
次に、（２）リピータＲＮは、移動局ＭＳに対する重要なデータＳｘとｅＮＢに対する重要なデータＳｙが重ならないように配置してＸＯＲ（排他的論理和）をとり、ネットワークコーディングデータＸ（Ｘ）Ｙを生成する。
【００３５】
そして、（３）リピータＲＮは、ネットワークコーディングデータＸ（Ｘ）Ｙにおいて、移動局ＭＳに対する重要なデータ部分Ｐｘ（Ｘ）Ｓｙには下り伝搬逆特性Ｈ１−１をかけ、一方、ｅＮＢに対する重要なデータ部分Ｓｘ（Ｘ）Ｐｙには上り伝搬逆特性Ｈ０−１をかけて送信する。
【００３６】
これによれば、移動局ＭＳは、下り伝搬特性を補償することなく重要なデータ部分Ｐｘ（Ｘ）Ｓｙデータを取り出すことができ、ｅＮＢは、上り伝搬特性を補償することなく重要なデータ部分Ｓｘ（Ｘ）Ｐｙを取り出すことができるので、移動局ＭＳおよびｅＮＢにおいてネットワークコーディングデータを確実に受信できる上、さらに十分な受信性能が得られるようになる。
【００３７】
図２（ｂ）は、本発明の無線中継装置における実施の形態１のシーケンス図を示す。同図を参照して実施の形態１の無線中継装置の動作を説明する。
【００３８】
手順１：移動局７１はリピータ（ＲＮ）７２に対し、下り伝搬特性Ｈ１を通知する。リピータ７２は、ｅＮＢ７３に対し、Ｈ１を通知する。
手順２：ｅＮＢ７３はリピータ７２に対し、上り伝搬特性Ｈ０を通知する。リピータ７２は、移動局７１に対し、Ｈ０を通知する。
手順３：移動局７１は、リピータ７２に対し、データＸを送信する。
手順４：ｅＮＢ７３は、リピータ７２に対し、データＹを送信する。
【００３９】
手順５：リピータ７２は、データＸを、重要なシステマティックビットを含むシステマティックパートＳｘとパリティビットを含むパリティパートＰｘに分割する。
手順６：リピータ７２は、データＹを、重要なシステマティックビットを含むシステマティックパートＳｙとパリティビットを含むパリティパートＰｙに分割する。
【００４０】
手順７：リピータ７２は、データＳｘとＰｙのＸＯＲ（排他的論理和）をとり、上り伝搬逆特性Ｈ０−１をかける。
手順８：リピータ７２は、データＰｘとＳｙのＸＯＲ（排他的論理和）をとり、下り伝搬逆特性Ｈ１−１をかける。
手順９：リピータ７２は、手順７と８で得られたデータをネットワークコーディングデータとして、移動局７１およびｅＮＢ７３へ送信する。
【００４１】
手順１０：移動局７１は、重要なシステマティックパートＳｙ対し、下り伝搬特性が予め補償されているので、そのまま、受信した（Ｐｘ  ＸＯＲ  Ｓｙ）データから、データＳｙを取り出せる。一方、パリティパートＰｙに対しても、かかっていると予測される伝搬特性Ｈ１・Ｈ０−１の逆特性を、手順２で通知されたＨ０と、もともと自局で持つＨ１から生成し、受信したネットワークコーディングデータ（Ｓｘ  ＸＯＲ  Ｐｙ）に対し、伝搬特性の補償を行ってから、データＰｙを取り出せる。
【００４２】
手順１１：ｅＮＢ７３は、重要なシステマティックパートＳｘ対し、上り伝搬特性が予め補償されているので、そのまま、受信した（Ｓｘ  ＸＯＲ  Ｐｙ）データから、データＳｘを取り出せる。一方、パリティパートＰｘ  に対しても、かかっていると予測される伝搬特性Ｈ０・Ｈ１−１の逆特性を、手順１で通知されたＨ１と、もともと自局で持つＨ０から生成し、受信したネットワークコーディングデータ（Ｐｘ  ＸＯＲ  Ｓｙ）に対し、伝搬特性の補償を行ってから、データＰｘを取り出せる。
【００４３】
このように実施の形態１によれば、移動局７１およびｅＮＢ７３において、各々、重要なシステマティックビットを含むシステマティックパートが理想的に受信できるので、確実にデータが受信できつつ、従来よりシステム全体の受信性能が向上する。
【００４４】
図３は、実施の形態１のバリエーションとして、移動局（ＭＳ）７１及びｅＮＢ７３における信号対干渉雑音電力比（Ｓｉｇｎａｌ−ｔｏ−Ｉｎｔｅｒｆｅｒｅｎｃｅ−ｐｌｕｓ−Ｎｏｉｓｅ−ｐｏｗｅｒ−Ｒａｔｉｏ、以下ＳＩＮＲと略す）が最大になるようにプリコーディング（Ｈ０−１、Ｈ１−１）比率を適応的に変える例を説明するための図である。
【００４５】
すなわち、リピータでは、図３（ａ）に示すように、ネットワークコーディングデータＳ１（Ｘ）Ｓ２において、ｅＮＢに対して重要なデータを含むシステマティックパートＳｓ１（Ｘ）Ｐｓ２の一部に上り伝搬逆特性Ｈ０−１をかけ、移動局に対して重要なデータを含むシステマティックパートＰｓ１（Ｘ）Ｓｓ２の全部、およびパリティパートＳｓ１（Ｘ）Ｐｓ２の一部に下り伝搬逆特性Ｈ１−１をかける。
【００４６】
これにより、図３（ｂ）に示すように、移動局（ＭＳ）７１は、重要なシステマティックパートＰｓ１（Ｘ）Ｓｓ２の全部、およびパリティパートＳｓ１（Ｘ）Ｐｓ２の一部について、伝搬特性を補償することなくそのまま受信したデータから取り出すことができ、移動局（ＭＳ）７１におけるＳＩＮＲを最大にすることができる。
【００４７】
また、伝搬特性の通知に関して、（１）伝搬特性通知の時だけ、リピータが受信した信号をそのまま増幅して送信する非再生中継にする、（２）上りおよび下り伝搬特性をネットワークコーディング（Ｈ１  ＸＯＲ  Ｈ０）して一括通知する等により通知時間の短縮を図ってもよい。
【００４８】
次に、本実施の形態１にかかるリピータ７２、移動局７１およびｅＮＢ７３のブロック図の説明をする。図４は、本実施の形態１のリピータ７２のブロック図を示す。
【００４９】
《移動局７１およびｅＮＢ７３からの伝搬特性受信動作》
リピータ７２は、受信ＲＦ部１２で、「移動局７１からの下り伝搬特性Ｈ１」を受信する。受信した信号は受信ＲＦ部１２でベースバンド帯域までダウンコンバートされて、Ａ／Ｄ変換部１３に信号が入力される。Ａ／Ｄ変換部１３に入力された信号はデジタル信号となって、バッファ部１４に蓄積され、復調及びチャネルデコード処理された結果を受信データメモリ１７の“下り伝搬特性格納メモリ１７１”に保持する。
【００５０】
同様に、リピータ７２は、受信ＲＦ部１２で、「ｅＮＢ７３からの上り伝搬特性Ｈ０」を受信する。受信した信号は受信ＲＦ部１２でベースバンド帯域までダウンコンバートされて、Ａ／Ｄ変換部１３に信号が入力される。Ａ／Ｄ変換部１３に入力された信号はデジタル信号となって、バッファ部１４に蓄積され、復調及びチャネルデコード処理された結果を受信データメモリ１７の“上り伝搬特性格納メモリ１７２”に保持する。
【００５１】
《移動局７１およびｅＮＢ７３への伝搬特性送信動作》
リピータ７２は、下り伝搬特性Ｈ１を、受信データメモリ１７の“下り伝搬特性格納メモリ１７１”から読み出し、チャネルエンコード部２７にてチャネルエンコードし、チャネルエンコードされたデータは変調部２４にて変調され、送信データメモリ２２の“下り伝搬特性格納メモリ２２１”に保持される。
【００５２】
続いて送信データメモリ２２の“下り伝搬特性格納メモリ２２１”から、下り伝搬特性Ｈ１を読み出し、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【００５３】
同様に、リピータ７２は、上り伝搬特性Ｈ０を、受信データメモリ１７の“上り伝搬特性格納メモリ１７２”から読み出し、チャネルエンコード部２７にてチャネルエンコードし、チャネルエンコードされたデータは変調部２４にて変調され、送信データメモリ２２の“上り伝搬特性格納メモリ２２２”に保持される。
【００５４】
続いて送信データメモリ２２の“上り伝搬特性格納メモリ２２２”から、上り伝搬特性Ｈ０を読み出し、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【００５５】
《移動局７１およびｅＮＢ７３からのデータ受信動作》
リピータ７２は、受信ＲＦ部１２で、「移動局７１からの送信データＸ」を受信する。受信した信号は受信ＲＦ部１２でベースバンド帯域までダウンコンバートされて、Ａ／Ｄ変換部１３に信号が入力される。Ａ／Ｄ変換部１３に入力された信号はデジタル信号となって、バッファ部１４に蓄積され、復調及びチャネルデコード処理された結果を受信データメモリ１７の“移動局送信データ格納メモリ１７３”に保持する。
【００５６】
同様に、リピータ７２は、受信ＲＦ部１２で、「ｅＮＢ７３からの送信データＹ」を受信する。受信した信号は受信ＲＦ部１２でベースバンド帯域までダウンコンバートされて、Ａ／Ｄ変換部１３に信号が入力される。Ａ／Ｄ変換部１３に入力された信号はデジタル信号となって、バッファ部１４に蓄積され、復調及びチャネルデコード処理された結果を受信データメモリ１７の“ｅＮＢ送信データ格納メモリ１７４”に保持する。
【００５７】
《ネットワークコーディングデータ生成動作》
リピータ７２は、受信データメモリ１７の“移動局送信データ格納メモリ１７３”から移動局７１が送信したデータＸを読み出し、チャネルエンコード部２７に入力する。チャネルエンコード部２７にてデータＸをチャネルエンコードし、チャネルエンコードデータをデータ分割部２６にて、システマティックビットを含む“システマティックパートＳｘ”とパリティビットを含む“パリティパートＰｘ”に分割する。
【００５８】
同様に、リピータ７２は、受信データメモリ１７の“ｅＮＢ送信データ格納メモリ１７４”からｅＮＢ７３が送信したデータＹを読み出し、チャネルエンコード部２７に入力する。チャネルエンコード部２７にてデータＹをチャネルエンコードし、チャネルエンコードデータをデータ分割部２６にて、システマティックビットを含む“システマティックパートＳｙ”とパリティビットを含む“パリティパートＰｙ”に分割する。
【００５９】
各々分割されたデータの重要パートである、“システマティックパートＳｘ”と“システマティックパートＳｙ”が重ならないように、ネットワークコーディングデータ生成部２５にて、“システマティックパートＳｘ”と“パリティパートＰｙ”でＸＯＲ（排他的論理和）をとり、同様に、“システマティックパートＳｙ”と“パリティパートＰｘ”でＸＯＲ（排他的論理和）をとり、ネットワークコーディングデータを生成する。
【００６０】
また、ネットワークコーディングデータの分割位置を、送信データメモリ２２の“ネットワークコーディングデータ分割位置格納メモリ２２４”に保持する。
【００６１】
《変調動作》
リピータ７２は、変調部２４にて、ネットワークコーディングデータに変調をかける。
【００６２】
《伝搬逆特性生成動作》
続いて、リピータ７２は、受信データメモリ１７の“下り伝搬特性格納メモリ１７１”から、下り伝搬特性Ｈ１を読み出し、伝搬逆特性生成部１８にて、Ｈ１の逆特性受信Ｈ１−１を生成する。同様に、受信データメモリ１７の“上り伝搬特性格納メモリ１７２”から、上り伝搬特性Ｈ０を読み出し、伝搬逆特性生成部１８にて、Ｈ０の逆特性受信Ｈ０−１を生成する。
【００６３】
《プリコーディング動作》
リピータ７２は、移動局７１にとって重要な“システマティックパートＳｙ”が含まれるネットワークコーディングデータ（Ｓｙ  ＸＯＲ  Ｐｘ）に対し、移動局７１が受信時にかかる下り伝搬特性Ｈ１が補償されるように、伝搬逆特性生成部１８にて生成された下り伝搬逆特性Ｈ１−１をプリコーディング部２３にてかける。
【００６４】
同様に、ｅＮＢ７３にとって重要な“システマティックパートＳｘ”が含まれるネットワークコーディングデータ（Ｓｘ  ＸＯＲ  Ｐｙ）に対し、ｅＮＢ７３が受信時にかかる上り伝搬特性Ｈ０が補償されるように、伝搬逆特性生成部１８にて生成された上り伝搬逆特性Ｈ０−１をプリコーディング部２３にてかける。
【００６５】
プリコーディング部２３にて、最終的に生成されたネットワークコーディングデータを、送信データメモリ２２の“ネットワークコーディングデータ格納メモリ２２３”に保持する。また、プリコーディングの分割位置を、送信データメモリ２２の“プリコーディング分割位置格納メモリ２２５”に保持する。
【００６６】
《ネットワークコーディングデータ送信動作》
リピータ７２のネットワークコーディングデータを送信データメモリ２２の“ネットワークコーディングデータ格納メモリ２２３”から読みだし、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【００６７】
同様に、ネットワークコーディングデータの分割位置を、送信データメモリ２２の“ネットワークコーディングデータ分割位置格納メモリ２２４”から、プリコーディングの分割位置を、送信データメモリ２２の“プリコーディング分割位置格納メモリ２２５”から読み出し、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【００６８】
なお、これら分割位置に関しては、ネットワークコーディングデータのヘッダに含めてもよいし、別途、分割位置が変更されるタイミングで制御データとして送信されてもよい。
【００６９】
次に、移動局７１のブロック図を説明する。図５は、移動局７１のブロック図を示す。
【００７０】
《下り伝搬特性推定動作》
移動局７１は、リピータ７２から中継される参照信号を、受信ＲＦ部３２で受信する。受信した信号は受信ＲＦ部３２でベースバンド帯域までダウンコンバートされて、Ａ／Ｄ変換部３３に信号が入力される。Ａ／Ｄ変換部３３に入力された信号は、デジタル信号となってバッファ部３４に蓄積されたのち、伝搬特性推定部３５にて、下りの伝搬特性Ｈ１が推定され、受信データメモリ３８の“下り伝搬特性格納メモリ３８１”に保持されると同時に、チャネルエンコード部４５にてチャネルエンコードされ、変調部４４にて変調処理を施されたのちに、送信データメモリ４３の“下り伝搬特性格納メモリ４３１”にも保持される。
【００７１】
《上り伝搬特性受信動作》
続いて、移動局７１は、リピータ７２から中継される上り伝搬特性（Ｈ０）データを、受信ＲＦ部３２で受信する。受信した信号は受信ＲＦ部３２でベースバンド帯域までダウンコンバートされて、Ａ／Ｄ変換部３３に信号が入力される。Ａ／Ｄ変換部３３に入力された信号は、デジタル信号となってバッファ部３４に蓄積されたのち、復調及びチャネルデコード処理された結果を受信データメモリ３８の“上り伝搬特性格納メモリ３８２”に保持する、と同時に、伝搬路逆特性部３９にて逆特性Ｈ０−１が生成され、受信データメモリ３８の“上り伝搬逆特性格納メモリ３８３”に保持する。
【００７２】
《移動局送信データ送信動作》
つぎに、移動局７１は、送信データメモリ４３の“移動局送信データ格納メモリ４３２”に保持してある、移動局送信データＸを読み出し、バッファ部４２に蓄積した後、Ｄ／Ａ変換部４１にてＤ／Ａ変換し、送信ＲＦ部４０でＲＦ帯域の信号までアップコンバートし、送信アンテナ３１から送信する。
【００７３】
《ネットワークコーディングデータ制御情報受信動作》
続いて、移動局７１は、リピータ７２から中継されるネットワークコーディングデータを受信ＲＦ部３２で受信する。受信した信号は受信ＲＦ部３２でベースバンド帯域までダウンコンバートされて、Ａ／Ｄ変換部３３に信号が入力される。Ａ／Ｄ変換部３３に入力された信号は、デジタル信号となってバッファ部３４に蓄積されたのち、まず、ヘッダ部分を復調及びチャネルデコード処理し、そこに含まれる、ネットワークコーディングデータ分割位置情報およびプリコーディング分割位置情報を、それぞれ、受信データメモリ３８の“ネットワークコーディングデータ分割位置格納メモリ３８４”および“プリコーディング分割位置格納メモリ３８５”に保持する。
【００７４】
《ネットワークコーディングデータ受信動作》
続いて、受信データメモリ３８の“ネットワークコーディングデータ分割位置格納メモリ３８４”および“プリコーディング分割位置格納メモリ３８５”から、それぞれ、ネットワークコーディングデータ分割位置情報およびプリコーディング分割位置情報を読み出し、この情報に基づき、移動局７１に対し重要なシステマティックパートＳｙを含むネットワークコーディングデータ部分に対しては、そのまま復調及びチャネルデコード処理を行い、パリティパートＰｙを含むネットワークコーディングデータ部分に対しては、受信データメモリ３８の“下り伝搬特性格納メモリ３８１”及び“上り伝搬逆特性格納メモリ３８３”から、下り伝搬特性Ｈ１と上り伝搬逆特性Ｈ０−１を読み出し、伝搬特性推定部３５にてＨ１・Ｈ０−１の逆特性が生成され、これを用いて伝搬特性を補償しつつ、復調及びチャネルデコード処理を行い、これら（Ｓｙ＋Ｐｙ）を合わせて、受信データメモリ３８の“ｅＮＢ送信データ格納メモリ３８７”に保持する。
【００７５】
次に、ｅＮＢ７３のブロック図を説明する。ｅＮＢ７３のブロック図としては、移動局７１のブロック図とデータメモリに格納される内容が異なるだけで、他は全く同じである。図６は、ｅＮＢ７３のブロック図である。
【００７６】
《上り伝搬特性推定動作》
ｅＮＢ７３は、リピータ７２から中継される参照信号を、受信ＲＦ部５２で受信する。受信した信号は受信ＲＦ部５２でベースバンド帯域までダウンコンバートされて、Ａ／Ｄ変換部５３に信号が入力される。Ａ／Ｄ変換部５３に入力された信号は、デジタル信号となってバッファ部５４に蓄積されたのち、伝搬特性推定部５５にて、上りの伝搬特性Ｈ０が推定され、受信データメモリ５８の“上り伝搬特性格納メモリ５８１”に保持されると同時に、チャネルエンコード部６５にてチャネルエンコードされ、変調部６４にて変調処理を施されたのちに、送信データメモリ６３の“上り伝搬特性格納メモリ６３１”にも保持される。
【００７７】
《下り伝搬特性受信動作》
続いて、ｅＮＢ７３は、リピータ７２から中継される下り伝搬特性（Ｈ１）データを、受信ＲＦ部５２で受信する。受信した信号は受信ＲＦ部５２でベースバンド帯域までダウンコンバートされて、Ａ／Ｄ変換部５３に信号が入力される。Ａ／Ｄ変換部５３に入力された信号は、デジタル信号となってバッファ部５４に蓄積されたのち、復調及びチャネルデコード処理された結果を受信データメモリ５８の“下り伝搬特性格納メモリ５８２”に保持する、と同時に、伝搬逆特性部５９にて逆特性Ｈ１−１が生成され、受信データメモリ５８の“下り伝搬逆特性格納メモリ５８３”に保持する。
【００７８】
《ｅＮＢ送信データ送信動作》
つぎに、ｅＮＢ７３は、送信データメモリ６３の“ｅＮＢ送信データ格納メモリ６３２”に保持してある、ｅＮＢ送信データＹを読み出し、バッファ部６２に蓄積した後、Ｄ／Ａ変換部６１にてＤ／Ａ変換し、送信ＲＦ部６０でＲＦ帯域の信号までアップコンバートし、送信アンテナ５１から送信する。
【００７９】
《ネットワークコーディングデータ制御情報受信動作》
続いて、ｅＮＢ７３は、リピータ７２から中継されるネットワークコーディングデータを受信ＲＦ部５２で受信する。受信した信号は受信ＲＦ部５２でベースバンド帯域までダウンコンバートされて、Ａ／Ｄ変換部５３に信号が入力される。Ａ／Ｄ変換部５３に入力された信号は、デジタル信号となってバッファ部５４に蓄積されたのち、まず、ヘッダ部分を復調及びチャネルデコード処理し、そこに含まれる、ネットワークコーディングデータ分割位置情報およびプリコーディング分割位置情報を、それぞれ、受信データメモリ５８の“ネットワークコーディングデータ分割位置格納メモリ５８４”および“プリコーディング分割位置格納メモリ５８５”に保持する。
【００８０】
《ネットワークコーディングデータ受信動作》
続いて、受信データメモリ５８の“ネットワークコーディングデータ分割位置格納メモリ５８４”および“プリコーディング分割位置格納メモリ５８５”から、それぞれ、ネットワークコーディングデータ分割位置情報およびプリコーディング分割位置情報を読み出し、この情報に基づき、ｅＮＢ７３に対し重要なシステマティックパートＳｘを含むネットワークコーディングデータ部分に対しては、そのまま復調及びチャネルデコード処理を行い、パリティパートＰｘを含むネットワークコーディングデータ部分に対しては、受信データメモリ５８の“上り伝搬特性格納メモリ５８１”及び“下り伝搬逆特性格納メモリ５８２”から、上り伝搬特性Ｈ０と下り伝搬逆特性Ｈ１−１を読み出し、伝搬特性推定部５５にてＨ０・Ｈ１−１の逆特性が生成され、これを用いて伝搬特性を補償しつつ、復調及びチャネルデコード処理を行い、これら（Ｓｘ＋Ｐｘ）を合わせて、受信データメモリ５８の“移動局送信データ格納メモリ５８７”に保持する。
【００８１】
なお、ここでは、分割位置に関しては、ネットワークコーディングデータのヘッダに含めた場合に関して、説明したが、これに限らず、別途、分割位置が変更されるタイミングで制御データとして受信してもよい。
【００８２】
このように実施の形態１によれば、移動局７１およびｅＮＢ７３において、各々、重要なシステマティックビットを含むシステマティックパートが理想的に受信できるので、確実にデータが受信できつつ、従来よりシステム全体の受信性能が向上する。
【００８３】
（実施の形態２）
図7（ａ）は、本発明の無線中継装置（以下、単にリピータＲＮと称す）における実施の形態２の概念図を示す。（１）リピータＲＮは、移動局ＭＳから受信（ＭＳ→ＲＮ）したデータＸを、重要なデータ（Ｓｘ：例えばシステマティックパート）と重要でないデータ（Ｐｘ：例えばパリティパート）に分割し、ｅＮＢから受信したデータＹを、重要なデータ（Ｓｙ：例えばシステマティックパート）と重要でないデータ（Ｐｙ：例えばパリティパート）に分割する。
【００８４】
次に、（２）リピータＲＮは、移動局ＭＳに対する重要なデータＳｘとｅＮＢに対する重要なデータＳｙが重ならないように配置して、分割したデータからＸＯＲ（排他的論理和）をとり、ネットワークコーディングデータＸ（Ｘ）Ｙを生成する。
【００８５】
（３）リピータＲＮは、上り伝搬特性及びその逆特性、並びに下り伝搬特性及びその逆特性から推定されるパリティパートの回線品質（Ｃｈａｎｎｅｌ  ｑｕａｌｉｔｙ）に基づき、パリティパートの回線品質の良い方のネットワークコーディングデータＸ（Ｘ）Ｙに、送信リソースを割り当てるようにスケジューリングする。言い換えれば、リピータRNは、上り伝搬特性Ｈ０と下り伝搬特性Ｈ１を知っているので、上り伝搬特性Ｈ０と下り伝搬逆特性Ｈ１−１の合成特性Ｈ０・Ｈ１−１の（ｅＮＢで受信されるパリティパートの伝搬特性）及び下り伝搬特性Ｈ１と上り伝搬逆特性Ｈ０−１の合成特性Ｈ１・Ｈ０−１の（ＭＳで受信されるパリティパートの伝搬特性）を求めることができ、この結果から推定されるパリティパートの回線品質（Ｃｈａｎｎｅｌ  ｑｕａｌｉｔｙ）に基づき、パリティパートの回線品質の良い方のネットワークコーディングデータＸ（Ｘ）Ｙに、送信リソースを割り当てるようにスケジューリングする。
【００８６】
そして、（４）リピータＲＮは、ネットワークコーディングデータＸ（Ｘ）Ｙにおいて、移動局ＭＳに対する重要なデータ部分Ｐｘ（Ｘ）Ｓｙには下り伝搬逆特性Ｈ１−１をかけ、一方、ｅＮＢに対する重要なデータ部分Ｓｘ（Ｘ）Ｐｙには上り伝搬逆特性Ｈ０−１をかけて送信する。
【００８７】
これによれば、移動局ＭＳは、下り伝搬特性を補償することなく重要なデータ部分Ｐｘ（Ｘ）Ｓｙデータを取り出すことができる。また、ｅＮＢは、上り伝搬特性を補償することなく重要なデータ部分Ｓｘ（Ｘ）Ｐｙを取り出すことができる。したがって、移動局ＭＳ及びｅＮＢにおいて、ネットワークコーディングデータを確実に受信できる上、さらに十分な受信性能が得られるようになる。さらに、リピータＲＮは、パリティパートの回線品質を考慮したスケジューリングを行っているので、移動局ＭＳ及びｅＮＢにおいて、パリティパートの受信性能も向上する。
【００８８】
図7（ｂ）は、本発明の無線中継装置（以下、リピータと称す）における実施の形態２のシーケンス図を示す。同図を参照して実施の形態２の動作を説明する。なお、実施の形態２のリピータの動作が実施の形態１のリピータの動作と異なる点は、ネットワークコーディングデータのパリティパートの回線品質（Ｃｈａｎｎｅｌ  ｑｕａｌｉｔｙ）を推定し、パリティパートの回線品質の良い方のデータに、送信リソースを割り当てるようにマッピングしてから、移動局及びｅＮＢへネットワークコーディングデータを送信する点である。
なお、実施の形態２のリピータ、移動局、及びｅＮＢの構成要件のうち、実施の形態１と同じ構成要件には同じ参照番号を付して説明する。
【００８９】
手順１：移動局７１はリピータ７２に対し、下り伝搬特性Ｈ１を通知する。リピータ７２は、ｅＮＢ７３に対し、Ｈ１を通知する。
手順２：ｅＮＢ７３はリピータ７２に対し、上り伝搬特性Ｈ０を通知する。リピータ７２は、移動局７１に対し、Ｈ０を通知する。
手順３：移動局７１は、リピータ７２に対し、データＸを送信する。
手順４：ｅＮＢ７３は、リピータ７２に対し、データＹを送信する。
【００９０】
手順５：リピータ７２は、データＸを、重要なシステマティックビットを含むシステマティックパートＳｘとパリティビットを含むパリティパートＰｘに分割する。
手順６：リピータ７２は、データＹを、重要なシステマティックビットを含むシステマティックパートＳｙとパリティビットを含むパリティパートＰｙに分割する。
【００９１】
手順７：リピータ７２は、データＳｘとＰｙのＸＯＲ（排他的論理和）をとり、上り伝搬逆特性Ｈ０−１をかける。
手順８：リピータ７２は、データＰｘとＳｙのＸＯＲ（排他的論理和）をとり、下り伝搬逆特性Ｈ１−１をかける。
【００９２】
手順９：リピータ７２は、移動局７１が受信するパリティパートの伝搬特性Ｈ１・Ｈ０−１及びｅＮＢが受信するパリティパートの伝搬特性Ｈ０・Ｈ１−１を計算し、その計算結果から、移動局７１及びｅＮＢ７３が受信するパリティパートの回線品質（Ｃｈａｎｎｅｌ  ｑｕａｌｉｔｙ）を推定する。
手順１０：リピータ７２は、手順９で得たパリティパートの回線品質の推定結果に基づき、回線品質の良い方のデータに送信リソースを割り当てるようにスケジューリングする。
手順１１：リピータ７２は、手順７と８で得られたデータをネットワークコーディングデータとして、移動局７１及びｅＮＢ７３へ送信する。
【００９３】
手順１２：移動局７１は、重要なシステマティックパートＳｙ対し、下り伝搬特性が予め補償されているので、そのまま、受信した（Ｐｘ  ＸＯＲ  Ｓｙ）データから、データＳｙを取り出せる。一方、パリティパートＰｙに対しても、かかっていると予測される伝搬特性Ｈ１・Ｈ０−１の逆特性を、手順２で通知されたＨ０と、もともと自局で持つＨ１から生成し、受信したネットワークコーディングデータ（Ｓｘ  ＸＯＲ  Ｐｙ）に対し、伝搬特性の補償を行ってから、データＰｙを取り出せる。
【００９４】
手順１３：ｅＮＢ７３は、重要なシステマティックパートＳｘ対し、上り伝搬特性が予め補償されているので、そのまま、受信した（Ｓｘ  ＸＯＲ  Ｐｙ）データから、データＳｘを取り出せる。一方、パリティパートＰｘ  に対しても、かかっていると予測される伝搬特性Ｈ０・Ｈ１−１の逆特性を、手順１で通知されたＨ１と、もともと自局で持つＨ０から生成し、受信したネットワークコーディングデータ（Ｐｘ  ＸＯＲ  Ｓｙ）に対し、伝搬特性の補償を行ってから、データＰｘを取り出せる。
【００９５】
このように実施の形態２によれば、移動局７１及びｅＮＢ７３において、各々、重要なシステマティックビットを含むシステマティックパートが理想的に受信できるので、確実にデータが受信でき、システム全体の受信性能が向上する。さらに、リピータは、パリティパートの回線品質を考慮したスケジューリングを行っているので、移動局７１及びｅＮＢ７３において、パリティビットを含むパリティパートの受信性能も向上する。
【００９６】
次に、実施の形態２にかかるリピータ７２、移動局７１及びｅＮＢ７３のブロック図の説明をする。なお、実施の形態１と同じ構成には同じ参照番号を付して説明する。図９は、実施の形態２のリピータ７２のブロック図を示す。
【００９７】
《移動局７１及びｅＮＢ７３からの伝搬特性受信動作》
リピータ７２は、受信ＲＦ部１２で、「移動局７１からの下り伝搬特性Ｈ１」を受信する。受信した信号は、受信ＲＦ部１２でベースバンド帯域までダウンコンバートされて、Ａ／Ｄ変換部１３に信号が入力される。Ａ／Ｄ変換部１３に入力された信号はデジタル信号となって、バッファ部１４に蓄積され、復調及びチャネルデコード処理された結果を、受信データメモリ１７の「下り伝搬特性格納メモリ１７１」に保持する。
【００９８】
同様に、リピータ７２は、受信ＲＦ部１２で、「ｅＮＢ７３からの上り伝搬特性Ｈ０」を受信する。受信した信号は、受信ＲＦ部１２でベースバンド帯域までダウンコンバートされて、Ａ／Ｄ変換部１３に信号が入力される。Ａ／Ｄ変換部１３に入力された信号はデジタル信号となって、バッファ部１４に蓄積され、復調及びチャネルデコード処理された結果を受信データメモリ１７の「上り伝搬特性格納メモリ１７２」に保持する。
【００９９】
《移動局７１及びｅＮＢ７３への伝搬特性送信動作》
リピータ７２は、下り伝搬特性Ｈ１を、受信データメモリ１７の「下り伝搬特性格納メモリ１７１」から読み出し、チャネルエンコード部２７にてチャネルエンコードする。チャネルエンコードされた下り伝搬特性Ｈ１のデータは、変調部２４にて変調され、送信データメモリ２２の「下り伝搬特性格納メモリ２２１」に保持される。
【０１００】
続いて、送信データメモリ２２の「下り伝搬特性格納メモリ２２１」から、下り伝搬特性Ｈ１を読み出し、バッファ部２１に蓄積する。その後、下り伝搬特性Ｈ１のデータを、Ｄ／Ａ変換部２０にてＤ／Ａ変換し、送信ＲＦ部１９でＲＦ帯域の信号までアップコンバートし、送信アンテナ１１から送信する。
【０１０１】
同様に、リピータ７２は、上り伝搬特性Ｈ０を、受信データメモリ１７の「上り伝搬特性格納メモリ１７２」から読み出し、チャネルエンコード部２７にてチャネルエンコードする。チャネルエンコードされた上り伝搬特性Ｈ０のデータは、変調部２４にて変調され、送信データメモリ２２の「上り伝搬特性格納メモリ２２２」に保持される。
【０１０２】
続いて、送信データメモリ２２の「上り伝搬特性格納メモリ２２２」から、上り伝搬特性Ｈ０を読み出し、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【０１０３】
《移動局７１及びｅＮＢ７３からのデータ受信動作》
リピータ７２は、受信ＲＦ部１２で、「移動局７１からの送信データＸ」を受信する。受信した送信データＸは、受信ＲＦ部１２でベースバンド帯域までダウンコンバートされて、Ａ／Ｄ変換部１３に入力される。Ａ／Ｄ変換部１３に入力された送信データＸは、デジタル信号となって、バッファ部１４に蓄積される。そして、送信データＸは、復調部１５での復調処理及びチャネルデコード部１６でのチェネルでコード処理の後、受信データメモリ１７の「移動局送信データ格納メモリ１７３」に保持される。
【０１０４】
同様に、リピータ７２は、受信ＲＦ部１２で、「ｅＮＢ７３からの送信データＹ」を受信する。受信した送信データＹは、受信ＲＦ部１２でベースバンド帯域までダウンコンバートされて、Ａ／Ｄ変換部１３に入力される。Ａ／Ｄ変換部１３に入力された送信データＹは、デジタル信号となって、バッファ部１４に蓄積される。そして、送信データＹは、復調部１５での復調処理及びチャネルデコード部１６でのチェネルでコード処理の後、受信データメモリ１７の「ｅＮＢ送信データ格納メモリ１７４」に保持される。
【０１０５】
《ネットワークコーディングデータ生成動作》
リピータ７２は、受信データメモリ１７の“移動局送信データ格納メモリ１７３”から移動局７１が送信したデータＸを読み出して、チャネルエンコード部２７に入力する。リピータ７２は、チャネルエンコード部２７にてデータＸをチャネルエンコードし、チャネルエンコードしたデータＸをデータ分割部２６にて、システマティックビットを含む「システマティックパートＳｘ」とパリティビットを含む「パリティパートＰｘ」に分割する。
【０１０６】
同様に、リピータ７２は、受信データメモリ１７の「ｅＮＢ送信データ格納メモリ１７４」からｅＮＢ７３が送信したデータＹを読み出し、チャネルエンコード部２７に入力する。リピータ７２は、チャネルエンコード部２７にてデータＹをチャネルエンコードし、チャネルエンコードしたデータＹをデータ分割部２６にて、システマティックビットを含む「システマティックパートＳｙ」とパリティビットを含む「パリティパートＰｙ」に分割する。
【０１０７】
各々分割されたデータの重要な部分である、「システマティックパートＳｘ」と「システマティックパートＳｙ」が重ならないように、ネットワークコーディングデータ生成部２５にて、「システマティックパートＳｘ」と「パリティパートＰｙ」でＸＯＲ（排他的論理和）をとり、同様に、「システマティックパートＳｙ」と「パリティパートＰｘ」でＸＯＲ（排他的論理和）をとり、ネットワークコーディングデータを生成する。
【０１０８】
また、ネットワークコーディングデータの分割位置を、送信データメモリ２２の「ネットワークコーディングデータ分割位置格納メモリ２２４」に保持する。
【０１０９】
《変調動作》
リピータ７２は、変調部２４にて、ネットワークコーディングデータに変調をかける。
【０１１０】
《伝搬逆特性生成動作》
続いて、リピータ７２は、受信データメモリ１７の「下り伝搬特性格納メモリ１７１」から、下り伝搬特性Ｈ１を読み出し、伝搬逆特性生成部１８にて、Ｈ１の逆特性受信Ｈ１−１を生成する。同様に、受信データメモリ１７の「上り伝搬特性格納メモリ１７２」から、上り伝搬特性Ｈ０を読み出し、伝搬逆特性生成部１８にて、Ｈ０の逆特性受信Ｈ０−１を生成する。
【０１１１】
《プリコーディング動作》
リピータ７２は、移動局７１にとって重要な「システマティックパートＳｙ」が含まれるネットワークコーディングデータ（Ｓｙ  ＸＯＲ  Ｐｘ）に対し、移動局７１が受信時にかかる下り伝搬特性Ｈ１が補償されるように、伝搬逆特性生成部１８にて生成された下り伝搬逆特性Ｈ１−１をプリコーディング部２３にてかける。
【０１１２】
同様に、ｅＮＢ７３にとって重要な「システマティックパートＳｘ」が含まれるネットワークコーディングデータ（Ｓｘ  ＸＯＲ  Ｐｙ）に対し、ｅＮＢ７３が受信時にかかる上り伝搬特性Ｈ０が補償されるように、伝搬逆特性生成部１８にて生成された上り伝搬逆特性Ｈ０−１をプリコーディング部２３にてかける。
【０１１３】
《回線品質推定動作》
次に、パリティパートの回線品質を考慮したスケジューリングするために、リピータ７２は、移動局及びｅＮＢへ送信するネットワークコーディングデータのパリティパートの回線品質を、上り伝搬特性Ｈ０および下り伝搬特性Ｈ１に基づき、推定する。
【０１１４】
まず、リピータ７２は、回線品質推定部９８にて、下り伝搬特性Ｈ１及びその逆特性Ｈ１−１、並びに上り伝搬特性Ｈ０とその逆特性Ｈ０−１から、Ｈ１・Ｈ０−１の値及びＨ０・Ｈ１−１の値を計算する。
【０１１５】
Ｈ１・Ｈ０−１は、移動局７１で受信するネットワークコーディングデータのパリティパートの伝搬特性であり、移動局７１で受信するネットワークコーディングデータのパリティパートの回線品質の指標として用いることができる。同様に、Ｈ０・Ｈ１−１は、ｅＮＢ７３で受信するネットワークコーディングデータのパリティパートの伝搬特性であり、ｅＮＢ７３で受信するネットワークコーディングデータのパリティパートの回線品質の指標として用いることができる。
【０１１６】
移動局７１及びｅＮＢ７３で受信するネットワークコーディングデータのパリティパートの回線品質として、例えば、ＳＮＲ（Ｓｉｇｎａｌ  ｔｏ  Ｎｏｉｓｅ  Ｒａｔｉｏ）、ビット誤り率（ＢｉｔＥｒｒｏｒ  Ｒａｔｅ、ＢＥＲ）や受信レベルなどが適用できる。
【０１１７】
図８（ａ）に、Ｈ１・Ｈ０−１の値及びＨ０・Ｈ１−１の値の計算結果から推定される回線品質の一例を示す。図８（ａ）の縦軸は周波数ｆ、横軸はＨ１・Ｈ０−１又はＨ０・Ｈ１−１から推定される回線品質を示す。ここで、リピータ７２は、Ｈ１・Ｈ０−１の値及びＨ０・Ｈ１−１の値の計算結果から、移動局及びｅＮＢへ送信するネットワークコーディングデータのパリティパートの回線品質を推定する。図８（ａ）に示す周波数帯域Ａでは、Ｈ１・Ｈ０−１から推定される回線品質が、Ｈ０・Ｈ１−１から推定される回線品質よりも良い。このため、周波数帯域Ａでは、リピータ７２が移動局７１へ中継するネットワークコーディングデータのパリティパートの回線品質が、リピータ７２がｅＮＢ７３へ中継するネットワークコーディングデータのパリティパートの回線品質よりも良いと推定できる。一方、図８（ａ）に示す周波数帯域Ｂでは、Ｈ０・Ｈ１−１から推定される回線品質がＨ１・Ｈ０−１から推定される回線品質よりも良い。このため、周波数帯域Ｂでは、リピータ７２がｅＮＢ７３へ中継するネットワークコーディングデータのパリティパートの回線品質が、リピータ７２が移動局７１へ中継するネットワークコーディングデータのパリティパートの回線品質よりも良いと推定できる。
【０１１８】
次に、上述のようなパリティパートの回線品質の推定結果から、リピータ７２は、データマッピング部９９で、移動局及びｅＮＢへ送信するデータに送信リソースを割り当てる。図８（ｂ）は、図８（ａ）に示す計算結果に基づくリソースの割り当ての一例を示す図である。図８（ｂ）の縦軸は周波数ｆ、横軸は時間ｔを示す。図８（ｂ）に示すように、周波数帯域Ａでは、移動局７１向けのネットワークコーディングデータに対して、送信リソースを割り当てるようにスケジューリングする。一方、周波数帯域Ｂでは、ｅＮＢ７３向けのネットワークコーディングデータに対して、送信リソースを割り当てるようにスケジューリングする。
【０１１９】
次に、プリコーディング部２３にて、移動局７１にとって重要な「システマティックパートＳｙ」が含まれるネットワークコーディングデータ（Ｓｙ  ＸＯＲ  Ｐｘ）と、ｅＮＢ７３にとって重要な「システマティックパートＳｘ」が含まれるネットワークコーディングデータ（Ｓｘ  ＸＯＲ  Ｐｙ）とから、最終的に生成されたネットワークコーディングデータを、送信データメモリ２２の「ネットワークコーディングデータ格納メモリ２２３」に保持する。また、プリコーディングの分割位置を、送信データメモリ２２の「プリコーディング分割位置格納メモリ２２５」に保持する。
【０１２０】
《ネットワークコーディングデータ送信動作》
リピータ７２のネットワークコーディングデータを送信データメモリ２２の「ネットワークコーディングデータ格納メモリ２２３」から読みだし、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【０１２１】
同様に、ネットワークコーディングデータの分割位置を、送信データメモリ２２の「ネットワークコーディングデータ分割位置格納メモリ２２４」から、プリコーディングの分割位置を、送信データメモリ２２の「プリコーディング分割位置格納メモリ２２５」から読み出し、バッファ部２１に蓄積した後、Ｄ／Ａ変換部２０にてＤ／Ａ変換し、送信ＲＦ部１９でＲＦ帯域の信号までアップコンバートし、送信アンテナ１１から送信する。
【０１２２】
実施の形態２の移動局及びｅＮＢが実施の形態１の移動局及びｅＮＢと異なる点は、リピータ７２から受信するネットワークコーディングが、そのパリティパートの回線品質をも考慮されてスケジューリングされている点であり、それ以外は、実施の形態１の移動局及びｅＮＢと同じである。そのため、実施の形態２の移動局及びｅＮＢは、重要なシステマティックビットを含むシステマティックパートを理想的に受信できる上に、さらにパリティパートを受信する性能も向上する。
【０１２３】
上述のように、実施の形態２によれば、移動局７１及びｅＮＢ７３において、各々、重要なシステマティックビットを含むシステマティックパートが理想的に受信できるので、確実にデータが受信できつつ、システム全体の受信性能が向上する。さらに、リピータ７２は、パリティパートの回線品質を考慮したスケジューリングを行っているので、移動局７１及びｅＮＢ７３において、パリティパートの受信性能も向上する。
【０１２４】
なお、実施の形態２において、ネットワークコーディングデータのパリティパートが複数のパリティパートで構成されている場合、例えば複数のパリティパート間で誤り検出の観点から優劣がある場合、この複数のパリティパート間を、リソース割り当ての切り口にしてもよい。同様に、実施の形態２において、ネットワークコーディングデータのパリティパートの中でも位置によって優劣がある場合、パリティパート内の位置を割り当ての切り口にしてもよい。
【０１２５】
なお、実施の形態２において、分割位置に関しては、ネットワークコーディングデータのヘッダに含めた場合に関して、説明したが、これに限らず、別途、分割位置が変更されるタイミングで制御データとして受信してもよい。
【０１２６】
また、上記実施例の説明に用いた機能ブロック図は、典型的には集積回路であるＬＳＩとして実現される。これらは個別に１チップ化されてもよいし、一部または全てを含むように１チップ化されてもよい。ここではＬＳＩとしたが、集積度の違いにより、ＩＣ、システムＬＳＩ、スーパーＬＳＩ、ウルトラＬＳＩと呼称されることがある。
【０１２７】
また、集積回路化の手法は、ＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｌａｙ）や、ＬＳＩ内部の回路セルの接続や設定を再構成可能なリコンフィギュラブル・プロセッサー（Ｒｅ−ｃｏｎｆｉｇｕｒａｂｌｅ  Ｐｒｏｃｅｓｓｏｒ）  を利用してもよい。
【０１２８】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１２９】
なお、上記実施の形態ではアンテナとして説明したが，アンテナポートでも同様に適用できる。アンテナポート（antenna port）とは、1本または複数の物理アンテナから構成される，論理的なアンテナを指す。すなわち、アンテナポートは必ずしも1本の物理アンテナを指すとは限らず、複数のアンテナから構成されるアレイアンテナ等を指すことがある。例えばLTEにおいては、アンテナポートが何本の物理アンテナから構成されるかは規定されず、基地局が異なるReference signalを送信できる最小単位として規定されている。また、アンテナポートはPrecoding vectorの重み付けを乗算する最小単位として規定されることもある。
【０１３０】
本出願は、２００８年５月１９日出願の日本特許出願（特願２００８−１３０７４９）、２００８年８月２８日出願の日本出願（特願２００８−２２０１３８）、に基づくものであり、その内容はここに参照として取り込まれる。
【産業上の利用可能性】
【０１３１】
本発明は、移動局および基地局がネットワークコーディングデータを確実に受信するとともに、移動局および基地局において十分な受信性能が得られる無線中継装置として利用可能である。
【符号の説明】
【０１３２】
１１，３１，５１  アンテナ
１２，３２，５２  受信ＲＦ部
１３，３３，５３  Ａ／Ｄ変換部
１４，２１，３４，４２，５４，６２  バッファ部
１５，３６，５６  復調部
１６，３７，５７  チャネルデコード部
１７，３８，５８  受信データメモリ
１８，３９，５９  伝搬逆特性生成部
１９，４０，６０  送信ＲＦ部
２０，４１，６１  Ｄ／Ａ変換部
２２，４３，６３  送信データメモリ
２３  プリコーディング部
２４，４４，６４  変調部
２５  ネットワークコーディングデータ生成部
２６  データ分割部
２７，４５，６５  チャネルエンコード部
３５，５５  伝搬特性推定部
７１  移動局
７２  リピータ
７３  ｅＮＢ
９８  回線品質推定部
９９  データマッピング部
１７１，２２１，３８１，４３１，５８２  下り伝搬特性格納メモリ
１７２，２２２，３８２，５８１，６３１  上り伝搬特性格納メモリ
１７３，４３２，５８７  移動局送信データ格納メモリ
１７４，３８７，６３２  ｅＮＢ送信データ格納メモリ
２２３，３８６，５８６  ネットワークコーディングデータ格納メモリ
２２４，３８４，５８４  ネットワークコーディングデータ分割位置格納メモリ
２２５，３８５，５８５  プリコーディング分割位置格納メモリ
３８３  上り伝搬逆特性格納メモリ
５８３  下り伝搬逆特性格納メモリ
【手続補正２】
【補正対象書類名】特許請求の範囲
【補正対象項目名】全文
【補正方法】変更
【補正の内容】
【特許請求の範囲】
【請求項１】
第１無線通信装置と第２無線通信装置との通信を中継する無線中継装置であって、
前記第１および第２無線通信装置からデータを受信する受信部と、
前記第１無線通信装置から受信した第１データと前記第２無線通信装置から受信した第２データとを用いてネットワークコーディングデータを生成するものであって、各データを重要度の高いブロックと重要度の低いブロックに分割し、各データの重要度の高いブロックと、各データの重要度の低いブロックとから排他的論理和をとることで前記ネットワークコーディングデータを生成するネットワークコーディングデータ生成部と、
前記ネットワークコーディングデータの一の部分と他の部分とで、それぞれ異なるプリコーディングをかけるプリコーディング部と、
前記プリコーディングしたネットワークコーディングデータを送信する送信部と、
を有する無線中継装置。
【請求項２】
請求項１記載の無線中継装置であって、
前記重要度の高いブロックは、各データのシステマティックビットを含むシステマティックパートを含み、前記重要度の低いブロックは、各データのパリティビットを含むパリティパートを含む無線中継装置。
【請求項３】
請求項２記載の無線中継装置であって
第１無線通信装置との間の伝搬特性及び当該伝搬特性の逆特性、並びに第２無線通信装置との間の伝搬特性及び当該伝搬特性の逆特性に基づき、重要度の低いブロックに係る第１無線通信装置との間の回線品質及び重要度の低いブロックに係る第２無線通信装置との間の回線品質を推定する推定部と、
前記推定部の推定結果に基づき、前記ネットワークコーディングデータに、当該ネットワークコーディングデータを送信するための送信リソースを割り当てるリソース割り当て部と、を備える無線中継装置。
【請求項４】
請求項２記載の無線中継装置であって、
前記ネットワークコーディングデータの一の部分には、前記第１データのシステマティックパートが含まれ、前記ネットワークコーディングデータの他の部分には、前記第２データのシステマティックパートが含まれており、
前記プリコーディング部において、
第２無線通信装置との間の伝搬特性の逆特性を、前記ネットワークコーディングデータの一の部分にかけ、
第１無線通信装置との間の伝搬特性の逆特性を、前記ネットワークコーディングデータの他の部分にかける無線中継装置。
【請求項５】
請求項２に記載の無線中継装置であって、
前記ネットワークコーディングデータの送信先である、少なくとも前記第１および第２無線通信装置のいずれか一方における信号対干渉雑音電力比が最大となるように、前記ネットワークコーディングデータのプリコーディング位置を設定する無線中継装置。
【請求項６】
請求項４記載の無線中継装置であって、
前記ネットワークコーディングデータの一の部分と前記ネットワークコーディングデータの他の部分との比率を、前記ネットワークコーディングデータの送信先である各無線通信装置における信号対干渉雑音電力比が最大となるように設定する無線中継装置。
【請求項７】
通信相手装置との通信を行う際に、前記通信を中継する無線中継装置を介してデータを送受信する無線通信装置であって、
前記通信相手装置から前記無線中継装置を介して受信する第１データと自装置から前記無線中継装置を介して前記通信相手装置へ送信する第２データとを用いて、前記各データのシステマティックビットを含むシステマティックパートと、前記各データのパリティビットを含むパリティパートとから排他的論理和をとり、当該データの一の部分と他の部分とでそれぞれ異なるプリコーディングをかけて生成され、前記無線中継装置から送信されたネットワークコーディングデータを受信する受信部と、
前記システマティックパートと前記パリティパートとを分けるネットワークコーディングデータの分割位置と、前記異なるプリコーディングを行うプリコーディングの分割位置とに基づき、前記無線中継装置を介して前記通信相手装置から受信したネットワークコーディングデータから自装置に必要な第１データを復調する復調部と、
を備える無線通信装置。
【請求項８】
請求項７に記載の無線通信装置であって、
前記ネットワークコーディングデータの一の部分には、前記第１データのシステマティックパートが含まれ、前記ネットワークコーディングデータの他の部分には、前記第２データのシステマティックパートが含まれており、前記プリコーディングとして、前記ネットワークコーディングデータの一の部分には前記無線中継装置と自装置との間の第１の伝搬特性の逆特性がかけられ、前記ネットワークコーディングデータの他の部分には前記無線中継装置と前記通信相手装置との間の第２の伝搬特性の逆特性がかけられている場合、
前記復調部は、前記ネットワークコーディングデータの分割位置と、前記異なるプリコーディングを行うプリコーディングの分割位置と、前記第１伝搬特性及び第２伝搬特性とに基づき、前記受信したネットワークコーディングデータのうちの一の部分は自装置からの第２データを用いて復調し、他の部分は前記第１伝搬特性と前記第２伝搬特性の逆特性とをかけた後、自装置からの第２データを用いて復調する無線通信装置。
【請求項９】
第１無線通信装置と第２無線通信装置との通信を中継する無線通信方法であって、
前記第１および第２無線通信装置からデータを受信し、
前記第１無線通信装置から受信した第１データと前記第２無線通信装置から受信した第２データとを用いて、各データを重要度の高いブロックと重要度の低いブロックに分割し、各データの重要度の高いブロックと、各データの重要度の低いブロックとから排他的論理和をとることでネットワークコーディングデータを生成し、
前記ネットワークコーディングデータの一の部分と他の部分とで、それぞれ異なるプリコーディングをかけ、
前記プリコーディングしたネットワークコーディングデータを送信する、無線通信方法。
【請求項１０】
通信相手装置との通信を行う際に、前記通信を中継する無線中継装置を介してデータを送受信する無線通信方法であって、
前記通信相手装置から前記無線中継装置を介して受信する第１データと自装置から前記無線中継装置を介して前記通信相手装置へ送信する第２データとを用いて、前記各データのシステマティックビットを含むシステマティックパートと、前記各データのパリティビットを含むパリティパートとから排他的論理和をとり、当該データの一の部分と他の部分とでそれぞれ異なるプリコーディングをかけて生成され、前記無線中継装置から送信されたネットワークコーディングデータを受信し、
前記システマティックパートと前記パリティパートとを分けるネットワークコーディングデータの分割位置と、前記異なるプリコーディングを行うプリコーディングの分割位置とに基づき、前記無線中継装置を介して前記通信相手装置から受信したネットワークコーディングデータから自装置に必要な第１データを復調する、無線通信方法。
【手続補正３】
【補正対象書類名】図面
【補正対象項目名】全図
【補正方法】変更
【補正の内容】
【図１】
2009141974.tif 000016
【図２】
2009141974.tif 000017
【図３】
2009141974.tif 000018
【図４】
2009141974.tif 000019
【図５】
2009141974.tif 000020
【図６】
2009141974.tif 000021
【図７】
2009141974.tif 000022
【図８】
2009141974.tif 000023
【図９】
2009141974.tif 000024
【図１０】
2009141974.tif 000025
【図１１】
2009141974.tif 000026
【図１２】
2009141974.tif 000027
【図１３】
2009141974.tif 000028
【国際調査報告】
2009141974.tif 000029
2009141974.tif 000030
2009141974.tif 000031
2009141974.tif 000032